(57)【要約】      （修正有）【課題】表示品位に優れた表示装置を提供する。【解決手段】表示装置は、第１領域と、第２領域と、直線状の第１境界線Ｂ１Ｕ及び曲線状の第２境界線Ｂ２ａを有し上記第１領域を囲う境界線Ｂと、上記第２領域に位置した第１遮光部を有する遮光層と、を備える。第１遮光部のうち第１領域側の端部は、直線状の第１端部、曲線状の第２端部、及び階段状の第３端部を有する。上記第１端部は、第１境界線Ｂ１Ｕが通るストレート領域Ｒ３ａにて、第１境界線Ｂ１Ｕ上に位置している。上記第２端部は、第２境界線Ｂ２ａが通り角度θ１ａが基準値未満である第１ラウンド領域Ｒ１ａ〜Ｒ１ｃにて、第２境界線Ｂ２ａ上に位置している。上記第３端部は、第２境界線Ｂ２ａが通り角度θ２ａが基準値以上である第２ラウンド領域Ｒ２ａにて、折れ曲がって延在している。【選択図】図１０
2020030352.tif 000002
【特許請求の範囲】
【請求項１】
第１領域と、
前記第１領域に隣接する第２領域と、
前記第１領域と前記第２領域との境界線であって、前記境界線は第１方向に平行な直線状の第１境界線及び前記第１境界線に繋がる曲線状の第２境界線を有し前記第１領域を囲う、前記境界線と、
前記第２領域に位置した第１遮光部を有し、光透過領域を調整する遮光層と、を備え、
前記第１遮光部のうち前記第１領域側の端部は、
前記第１境界線上に位置する直線状の第１端部と、
前記第２境界線が通り前記第２境界線の接線と前記第１境界線の延長線とがなす角度が基準値未満である第１ラウンド領域にて、前記第２境界線上に位置する曲線状の第２端部と、
前記第２境界線が通り前記角度が前記基準値以上である第２ラウンド領域にて、折れ曲がって延在する階段状の第３端部と、を有する、
表示装置。
【請求項２】
前記第２端部は、前記第１端部と前記第３端部との間に位置し、
前記第１端部、前記第２端部、及び前記第３端部は、連続して並んでいる、
請求項１に記載の表示装置。
【請求項３】
前記遮光層は、少なくとも前記第１領域に位置し互いに交差した複数の第２遮光部及び複数の第３遮光部と、前記第１遮光部、前記複数の第２遮光部、及び前記複数の第３遮光部で囲まれた複数の開口領域と、をさらに有し、
前記複数の第２遮光部は、それぞれ、前記第１方向に延在し、前記第１方向に交差する第２方向に間隔を置いて並べられ、
前記複数の第３遮光部は、それぞれ、前記第２方向に延在し、前記第１方向に間隔を置いて並べられている、
請求項１に記載の表示装置。
【請求項４】
前記複数の開口領域に位置したカラーフィルタをさらに備え、
同一色の光を透過する前記開口領域同士を比較した場合、前記第２ラウンド領域に位置している前記開口領域の面積は、前記第１領域のうち前記第１境界線が通り前記第１境界線と並行に延在するストレート領域を含み前記第１ラウンド領域及び前記第２ラウンド領域を含んでいない第１表示領域に位置している前記開口領域の面積より小さい、
請求項３に記載の表示装置。
【請求項５】
前記カラーフィルタは、複数の第１色層と、複数の第２色層と、複数の第３色層と、を有し、
各々の前記開口領域には、前記第１色層、前記第２色層、又は前記第３色層が位置している、
請求項４に記載の表示装置。
【請求項６】
前記第２遮光部は、
前記第１領域のうち前記第１境界線が通り前記第１境界線と並行に延在するストレート領域を含み前記第１ラウンド領域及び前記第２ラウンド領域を含んでいない第１表示領域と前記第１ラウンド領域とに位置する前記開口領域の輪郭を形成し前記第２方向に第１幅を有する第１線状部と、
前記第２ラウンド領域に位置する前記開口領域の輪郭を調整し前記第２方向に前記第１幅より大きい第２幅を有する第２線状部と、を含み、
前記第２方向において、前記第２ラウンド領域に位置する前記開口領域は、前記第１表示領域に位置している前記開口領域より短い、
請求項３に記載の表示装置。
【請求項７】
前記第２ラウンド領域は、前記第１方向に延在し、
前記第１幅は、一定であり、
前記第２幅は、前記第１方向にて前記第２線状部が前記第１線状部から遠ざかる程、段階的に大きくなる、
請求項６に記載の表示装置。
【請求項８】
前記複数の第３遮光部は、
前記第１領域のうち前記第１境界線が通り前記第１境界線と並行に延在するストレート領域を含み前記第１ラウンド領域及び前記第２ラウンド領域を含んでいない第１表示領域に位置する前記開口領域の輪郭を形成し前記第１方向に第３幅を有する第３線状部と、前記第２ラウンド領域に位置する前記開口領域の輪郭を調整し前記第１方向に前記第３幅より大きい第４幅を有する第４線状部と、を含み、第１群に属する第３遮光部と、
前記第１表示領域に位置する前記開口領域の輪郭を形成し前記第１方向に前記第３幅を有する第３線状部と、前記第１ラウンド領域に位置する前記開口領域の輪郭を形成し前記第１方向に前記第３幅を有する第５線状部と、を含み、第２群に属する第３遮光部と、を備え、
前記第１方向において、前記第２ラウンド領域に位置する前記開口領域は、前記第１表示領域に位置している前記開口領域より短い、
請求項３、６、及び７の何れか１項に記載の表示装置。
【請求項９】
前記第２ラウンド領域は、前記第１方向に延在し、
前記複数の第３遮光部は、前記第１群に属する複数の第３遮光部を備え、
前記第３幅は、一定であり、
前記第１方向に並んだ前記複数の第４線状部と前記第３線状部とに注目した場合、前記第４幅は、前記第１方向にて前記第４線状部が前記第３線状部から遠ざかる程、段階的に大きくなる、
請求項８に記載の表示装置。
【請求項１０】
各々の前記第２遮光部は、前記第１方向に直線状に延在し、
各々の前記第３遮光部は、前記第１方向及び前記第２方向と異なる第３方向と、前記第１方向、前記第２方向及び前記第３方向と異なる第４方向と、に沿って延在し、
前記第２方向に隣合う一対の前記開口領域に注目した場合、
一方の前記開口領域は前記第３方向に延在し、
他方の前記開口領域は前記第４方向に延在している、
請求項３に記載の表示装置。
【請求項１１】
第１領域と、
前記第１領域に隣接する第２領域と、
前記第１領域と前記第２領域との境界線であって、前記境界線は第１方向に平行な直線状の第１境界線及び前記第１境界線に繋がる曲線状の第２境界線を有し前記第１領域を囲う、前記境界線と、
前記第１方向及び前記第１方向に交差する第２方向にマトリクス状に配置された複数の画素であって、各々の前記画素は前記第１方向に並んだ複数色の副画素を有する、前記複数の画素と、
前記第２領域に位置した第１遮光部を有し、各々の前記副画素の開口領域の輪郭を形成する遮光層と、を備え、
前記複数の画素は、前記第２境界線が通る第１ラウンド領域にて前記第１方向に連続してＮ個以上並んでいる複数の画素と、前記第２境界線が通る第２ラウンド領域に位置する一の画素又は前記第２ラウンド領域にて前記第１方向に連続してＮ個未満並んでいる複数の画素と、前記第１領域のうち前記第１境界線が通り前記第１境界線と並行に延在するストレート領域を含み前記第１ラウンド領域及び前記第２ラウンド領域を含んでいない第１表示領域に位置する複数の画素と、を含み、
前記第１遮光部のうち前記第１領域側の端部は、
前記ストレート領域にて、前記第１境界線上に位置する直線状の第１端部と、
前記第１ラウンド領域にて、前記第２境界線上に位置する曲線状の第２端部と、
前記第２ラウンド領域にて、前記第１方向及び前記第２方向に沿って折れ曲がって延在する階段状の第３端部と、を有する、
表示装置。
【請求項１２】
前記第１ラウンド領域及び前記第２ラウンド領域を含む第２表示領域に位置している各々の前記画素の前記複数の開口領域の総面積は、前記第１表示領域に位置している各々の前記画素の前記複数の開口領域の総面積より小さい、
請求項１１に記載の表示装置。
【請求項１３】
前記複数の開口領域に位置したカラーフィルタをさらに備え、
同一色の光を透過する前記開口領域同士を比較した場合、前記第２ラウンド領域に位置している前記開口領域の面積は、前記第１表示領域に位置している前記開口領域の面積より小さい、
請求項１１に記載の表示装置。
【請求項１４】
前記カラーフィルタは、複数の第１色層と、複数の第２色層と、複数の第３色層と、を有し、
各々の前記開口領域には、前記第１色層、前記第２色層、又は前記第３色層が位置している、
請求項１３に記載の表示装置。
【請求項１５】
前記遮光層は、少なくとも前記第１領域に位置し互いに交差した複数の第２遮光部及び複数の第３遮光部をさらに有し、前記複数の開口領域を区画し、
前記複数の第２遮光部は、それぞれ、前記第１方向に延在し、前記第２方向に前記複数の開口領域と交互に並べられ、
前記複数の第３遮光部は、それぞれ、前記第２方向に延在し、前記第１方向に前記複数の開口領域と交互に並べられている、
請求項１１に記載の表示装置。
【請求項１６】
前記遮光層は、少なくとも前記第１領域に位置し第２遮光部をさらに有し、
前記第２遮光部は、
前記第１表示領域と前記第１ラウンド領域とに位置する前記開口領域の輪郭を形成し前記第２方向に第１幅を有する第１線状部と、
前記第２ラウンド領域に位置する前記開口領域の輪郭を調整し前記第２方向に前記第１幅より大きい第２幅を有する第２線状部と、を含み、
前記第２方向において、前記第２ラウンド領域に位置する前記開口領域は、前記第１表示領域に位置している前記開口領域より短い、
請求項１１に記載の表示装置。
【請求項１７】
前記第１表示領域に位置する前記複数の画素は、複数の第１画素であり、
前記第１ラウンド領域に位置する前記複数の画素は、複数の第２画素であり、
前記第２ラウンド領域に位置する前記複数の画素は、第３画素と、前記第３画素より前記第２領域側に位置する割合の大きい第４画素と、を含み、
前記第２ラウンド領域は、前記第１方向に延在し、
前記複数の第２画素及び前記第１画素は、前記第１方向に順に並べられ、
前記第４画素、前記第３画素、及び前記第１画素は、前記第１方向に順に並べられ、
前記第１幅は、一定であり、
前記第２線状部において、前記第３画素の前記開口領域の輪郭を調整する部分の前記第２幅より、前記第４画素の前記開口領域の輪郭を調整する部分の前記第２幅の方が大きい、
請求項１６に記載の表示装置。
【請求項１８】
前記複数の第３遮光部は、
前記第１表示領域に位置する前記開口領域の輪郭を形成し前記第１方向に第３幅を有する第３線状部と、前記第２ラウンド領域に位置する前記開口領域の輪郭を調整し前記第１方向に前記第３幅より大きい第４幅を有する第４線状部と、を含み、第１群に属する第３遮光部と、
前記第１表示領域に位置する前記開口領域の輪郭を形成し前記第１方向に前記第３幅を有する第３線状部と、前記第１ラウンド領域に位置する前記開口領域の輪郭を形成し前記第１方向に前記第３幅を有する第５線状部と、を含み、第２群に属する第３遮光部と、を備え、
前記第１方向において、前記第２ラウンド領域に位置する前記開口領域は、前記第１表示領域に位置している前記開口領域より短い、
請求項１１、１６、及び１７の何れか１項に記載の表示装置。
【請求項１９】
前記第１表示領域に位置する前記複数の画素は、複数の第１画素であり、
前記第１ラウンド領域に位置する前記複数の画素は、複数の第２画素であり、
前記第２ラウンド領域に位置する前記複数の画素は、第３画素と、前記第３画素より前記第２領域側に位置する割合の大きい第４画素と、を含み、
前記第２ラウンド領域は、前記第１方向に延在し、
前記複数の第３遮光部は、前記第１群に属する複数の第３遮光部を備え、
前記複数の第２画素及び前記第１画素は、前記第１方向に順に並べられ、
前記第４画素、前記第３画素、及び前記第１画素は、前記第１方向に順に並べられ、
前記第３幅は、一定であり、
前記第３画素の前記開口領域の輪郭を調整する前記第４線状部の前記第４幅より、前記第４画素の前記開口領域の輪郭を調整する前記第４線状部の前記第４幅の方が大きい、
請求項１８に記載の表示装置。
【請求項２０】
前記遮光層は、少なくとも前記第１領域に位置し互いに交差した複数の第２遮光部及び複数の第３遮光部をさらに有し、前記複数の開口領域を区画し、
各々の前記第２遮光部は、前記第１方向に直線状に延在し、
各々の前記第３遮光部は、前記第１方向及び前記第２方向と異なる第３方向と、前記第１方向、前記第２方向及び前記第３方向と異なる第４方向と、に沿って延在し、
前記第２方向に隣合う一対の前記開口領域に注目した場合、
一方の前記開口領域は前記第３方向に延在し、
他方の前記開口領域は前記第４方向に延在している、
請求項１１に記載の表示装置。
【請求項２１】
アレイ基板と、
前記遮光層を有し前記アレイ基板に隙間を置いて対向配置された対向基板と、
前記アレイ基板と前記対向基板との間に保持され、前記アレイ基板及び前記対向基板とともに前記複数の画素を構成した液晶層と、をさらに備える、
請求項１１に記載の表示装置。
【請求項２２】
前記遮光層は、少なくとも前記第１領域に位置し互いに交差した複数の第２遮光部及び複数の第３遮光部をさらに有し、前記複数の開口領域を区画し、
前記複数の第２遮光部は、それぞれ、前記第１方向に延在し、前記第２方向に前記複数の開口領域と交互に並べられ、
前記複数の第３遮光部は、それぞれ、前記第２方向に延在し、前記第１方向に前記複数の開口領域と交互に並べられ、
前記アレイ基板は、複数の走査線と、複数の信号線と、を有し、
各々の前記走査線は、対応する前記第２遮光部と対向し、前記対応する第２遮光部に沿って延在し、
各々の前記信号線は、対応する前記第３遮光部と対向し、前記対応する第３遮光部に沿って延在する、
請求項２１に記載の表示装置。
【請求項２３】
第１方向の短辺と、第２方向の長辺と、前記短辺と前記長辺を繋ぐラウンド部と、を有する基板と、
前記基板に形成され、遮光層により区画された複数の開口領域を有する複数の画素と、を備えた液晶表示装置であって、
前記複数の画素は、前記短辺に沿って配置された第１開口領域を有する第１画素群と、前記ラウンド部に沿って配置された第２開口領域を有する第２画素群と、前記ラウンド部に沿って配置された第３開口領域を有する第３画素群と、を含み、
前記遮光層は、前記第１開口領域の前記短辺側に沿って形成された第１直線部と、前記第２開口領域の前記ラウンド部側に沿って形成された曲線部と、前記第３開口領域の前記短辺側に沿って形成された第２直線部と、を含み、
前記第１開口領域は前記第３開口領域よりも大きい、
液晶表示装置。
【請求項２４】
前記遮光層は、前記第３開口領域の前記長辺側に第３直線部を有し、
前記第１直線部は、前記曲線部に接続され、
前記曲線部は、前記第２直線部に接続され、
前記第２直線部は、前記第３直線部に接続される、
請求項２３に記載の液晶表示装置。
【請求項２５】
前記第１画素群の第１画素は、少なくとも３つの副画素を有し、前記３つの副画素にそれぞれ対応する前記第１開口領域は前記３つの副画素それぞれにおいて実質的に同じであり、
前記第２画素群の第２画素は、少なくとも３つの副画素を有し、前記３つの副画素にそれぞれ対応する前記第２開口領域は前記３つの副画素それぞれにおいて異なり、
前記第３画素群の第３画素は、少なくとも３つの副画素を有し、前記３つの副画素にそれぞれ対応する前記第３開口領域は前記３つの副画素それぞれにおいて実質的に同じである、
請求項２４に記載の液晶表示装置。
【発明の詳細な説明】
【技術分野】
【０００１】
本発明の実施形態は、表示装置に関する。
【背景技術】
【０００２】
表示装置として液晶表示装置が知られている。液晶表示装置は、軽量、薄型、低消費電力などの特徴を生かして、パーソナルコンピュータやテレビなどのＯＡ（Office Automation）機器などの表示装置として各種分野で利用されている。近年では、液晶表示装置は、携帯電話などの携帯端末機器や、カーナビゲーション装置、ゲーム機などの表示装置として利用されている。  
また、画像を表示する表示領域の形状は、四隅が直角の矩形状に留まらず、円形や楕円形などといった非矩形への対応が望まれている。
【先行技術文献】
【特許文献】
【０００３】
【特許文献１】特開２０１８−９１９３７号公報
【発明の概要】
【発明が解決しようとする課題】
【０００４】
本実施形態は、表示品位に優れた表示装置を提供する。
【課題を解決するための手段】
【０００５】
一実施形態に係る表示装置は、
第１領域と、前記第１領域に隣接する第２領域と、前記第１領域と前記第２領域との境界線であって、前記境界線は第１方向に平行な直線状の第１境界線及び前記第１境界線に繋がる曲線状の第２境界線を有し前記第１領域を囲う、前記境界線と、前記第２領域に位置した第１遮光部を有し、光透過領域を調整する遮光層と、を備え、前記第１遮光部のうち前記第１領域側の端部は、前記第１境界線上に位置する直線状の第１端部と、前記第２境界線が通り前記第２境界線の接線と前記第１境界線の延長線とがなす角度が基準値未満である第１ラウンド領域にて、前記第２境界線上に位置する曲線状の第２端部と、前記第２境界線が通り前記角度が前記基準値以上である第２ラウンド領域にて、折れ曲がって延在する階段状の第３端部と、を有する。
【０００６】
また、一実施形態に係る表示装置は、
第１領域と、前記第１領域に隣接する第２領域と、前記第１領域と前記第２領域との境界線であって、前記境界線は第１方向に平行な直線状の第１境界線及び前記第１境界線に繋がる曲線状の第２境界線を有し前記第１領域を囲う、前記境界線と、前記第１方向及び前記第１方向に交差する第２方向にマトリクス状に配置された複数の画素であって、各々の前記画素は前記第１方向に並んだ複数色の副画素を有する、前記複数の画素と、前記第２領域に位置した第１遮光部を有し、各々の前記副画素の開口領域の輪郭を形成する遮光層と、を備え、前記複数の画素は、前記第２境界線が通る第１ラウンド領域にて前記第１方向に連続してＮ個以上並んでいる複数の画素と、前記第２境界線が通る第２ラウンド領域に位置する一の画素又は前記第２ラウンド領域にて前記第１方向に連続してＮ個未満並んでいる複数の画素と、前記第１領域のうち前記ストレート領域を含み前記第１ラウンド領域及び前記第２ラウンド領域を含んでいない第１表示領域に位置する複数の画素と、を含み、前記第１遮光部のうち前記第１領域側の端部は、前記第１表示領域のうち前記第１境界線が通り前記第１境界線と並行に延在するストレート領域にて、前記第１境界線上に位置する直線状の第１端部と、前記第１ラウンド領域にて、前記第２境界線上に位置する曲線状の第２端部と、前記第２ラウンド領域にて、前記第１方向及び前記第２方向に沿って折れ曲がって延在する階段状の第３端部と、を有する。
【０００７】
また、一実施形態に係る液晶表示装置は、
第１方向の短辺と、第２方向の長辺と、前記短辺と前記長辺を繋ぐラウンド部と、を有する基板と、前記基板に形成され、遮光層により区画された複数の開口領域を有する複数の画素と、を備えた液晶表示装置であって、前記複数の画素は、前記短辺に沿って配置された第１開口領域を有する第１画素群と、前記ラウンド部に沿って配置された第２開口領域を有する第２画素群と、前記ラウンド部に沿って配置された第３開口領域を有する第３画素群と、を含み、前記遮光層は、前記第１開口領域の前記短辺側に沿って形成された第１直線部と、前記第２開口領域の前記ラウンド部側に沿って形成された曲線部と、前記第３開口領域の前記短辺側に沿って形成された第２直線部と、を含み、前記第１開口領域は前記第３開口領域よりも大きい液晶表示装置。
【図面の簡単な説明】
【０００８】
【図１】図１は、一実施形態の表示装置の外観を示す平面図である。
【図２】図２は、図１に示した表示パネルに信号源が実装された一構成例を示す平面図である。
【図３】図３は、図１に示した表示パネルの基本構成及び等価回路を示す図である。
【図４】図４は、図１に示した第１基板を第２基板の側から見たときの副画素の一構成例を示す平面図である。
【図５】図５は、副画素に配置される画素電極の一構成例を示す平面図である。
【図６】図６は、図４の線ＶＩ−ＶＩに沿って上記表示パネルを示す断面図である。
【図７】図７は、上記表示パネルの表示領域の１つのラウンド部及び短辺を含む領域を示す平面図であり、理想的な表示領域と複数の画素との関係を説明するための図である。
【図８】図８は、図７に示したラウンド部及び短辺を含む領域の一部を示す平面図であり、遮光層と、複数の開口領域と、を示す図である。
【図９】図９は、図７に示したラウンド部を含む領域の一部を示す平面図であり、遮光層と、複数の開口領域と、を示す図である。
【図１０】図１０は、図７に示した１つのラウンド部及び短辺を含む領域を示す平面図であり、第１ラウンド領域と第２ラウンド領域とを区別する一手法を説明するための図である。
【図１１】図１１は、上記表示パネルの表示領域の１つのラウンド部及び長辺を含む領域を示す平面図であり、理想的な表示領域と複数の画素との関係を説明するための図である。
【図１２】図１２は、図１１に示したラウンド部を含む領域の一部を示す平面図であり、遮光層と、複数の開口領域と、を示す図である。
【図１３】図１３は、上記表示パネルにおける画素配列を示す平面図である。
【図１４】図１４は、上記表示パネルの１個の単位画素を示す平面図であり、走査線、信号線、画素電極、及び遮光層を示す図である。
【図１５】図１５は、上記表示パネルの第３画素を示す平面図であり、走査線、信号線、画素電極、及び遮光層を示す図である。
【図１６】図１６は、上記表示パネルの第４画素を示す平面図であり、走査線、信号線、画素電極、及び遮光層を示す図である。
【図１７】図１７は、上記一実施形態の変形例１の表示装置の表示パネルの表示領域のラウンド部を含む領域を示す平面図であり、遮光層と、複数の開口領域と、を示す図である。
【図１８】図１８は、上記一実施形態の変形例２の表示装置の画素に配置される画素電極と共通電極との構成例を示す平面図である。
【図１９】図１９は、上記一実施形態の変形例３の表示装置の表示パネルの表示領域のラウンド部を含む領域を示す平面図であり、遮光層と、複数の開口領域と、を示す図である。
【図２０】図２０は、図１９に示した第１画素を示す平面図であり、走査線、信号線、画素電極、及び遮光層を示す図である。
【図２１】図２１は、上記一実施形態の変形例４の表示装置の外観を示す平面図であり、表示領域などを示す図である。
【図２２】図２２は、上記一実施形態の変形例５の表示装置の外観を示す平面図であり、表示領域などを示す図である。
【図２３】図２３は、図２２の表示装置の一部を示す平面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
始めに、本発明の実施形態の基本構想について説明する。  
カラー表示タイプの液晶表示装置においては、画素は、例えば、赤色、緑色及び青色の副画素を有している。画素を構成する副画素の一部が、液晶表示パネルの外側の遮光部材によって遮光された場合、画素の色バランスが崩れ、所望の色とは異なる色に表示される恐れがある。例えば、赤色の副画素の一部のみが遮光された場合、画素全体における赤色の開口率（光透過率又は光反射率）が低下し、所望の色表示ができなくなる。
【００１１】
このような色ずれを抑制するために、副画素の一部が遮光された画素全体をブラックマトリクスなどの遮光層によって遮光してしまう手段もあるが、その分、表示領域が狭くなってしまう。また、表示領域のエッジがドットパターンによって形成されるため、表示領域のラウンド部の輪郭の滑らかさが不足し、見栄えが悪いといった課題もある。言うまでもないが、ラウンド部の輪郭は、非直線状であり、湾曲している。また、表示領域のラウンド部とは、例えば表示装置をその表示装置の通常の用途に基づいて使用する視認者が見た際に湾曲もしくは曲線形状を感じさせる表示領域の角部をラウンド部とし、その一部を顕微鏡等の光学装置を用いてミクロ的なサイズで述べているものではない。
【００１２】
そこで、本発明の各実施形態においては、上記課題の原因を解明し、上記課題を解決することにより、表示品位に優れた液晶表示装置を得ることができるものである。次に、上記課題を解決するための手段及び手法について説明する。
【００１３】
（一実施形態）  
まず、一実施形態に係る表示装置について説明する。  
図１は、一実施形態の表示装置ＤＳＰの外観を示す平面図である。ここでは、互いに交差する第１方向Ｘ及び第２方向Ｙによって規定されるＸ−Ｙ平面における表示装置ＤＳＰの平面図を示している。図中の第５方向Ｚは、第１方向Ｘ及び第２方向Ｙと交差する方向である。一例では、第１方向Ｘ、第２方向Ｙ、及び第５方向Ｚは、互いに直交しているが、９０度以外の角度で互いに交差していてもよい。本明細書において、第５方向Ｚを示す矢印の先端に向かう方向を上方（あるいは、単に上）と称し、矢印の先端から逆に向かう方向を下方（あるいは、単に下）と称する。また、第５方向Ｚを示す矢印の先端側に表示装置ＤＳＰを観察する観察位置があるものとし、この観察位置からＸ−Ｙ平面に向かって見ることを平面視という。
【００１４】
本実施形態においては、表示装置ＤＳＰは、液晶表示装置である。表示装置ＤＳＰは、表示パネルＰＮＬなどを備えている。表示パネルＰＮＬは、液晶表示パネルであり、アレイ基板としての第１基板ＳＵＢ１と、対向基板としての第２基板ＳＵＢ２と、液晶層（後述する液晶層ＬＣ）と、を備えている。第２基板ＳＵＢ２は、第１基板ＳＵＢ１に所定の隙間を置いて対向配置されている。表示パネルＰＮＬは、画像を表示する表示領域ＤＡと、表示領域ＤＡ以外の非表示領域ＮＤＡと、を備えている。本実施形態において、非表示領域ＮＤＡは、表示領域ＤＡを囲み、額縁状の形状を有している。非表示領域ＮＤＡは、ＩＣチップやフレキシブル回路基板などの信号源が実装される実装領域ＭＡを含んでいる。
【００１５】
表示パネルＰＮＬの外観に注目すると、第１基板ＳＵＢ１は、第１方向Ｘに延在した一対の短辺ＳＳ１１，ＳＳ１２と、第２方向Ｙに延在した一対の長辺ＬＳ１１，ＬＳ１２と、４つのラウンド部Ｒ１１乃至Ｒ１４と、を有している。第２基板ＳＵＢ２は、短辺ＳＳ１１と重なる短辺ＳＳ２１と、長辺ＬＳ１１，ＬＳ１２とそれぞれ重なる長辺ＬＳ２１，ＬＳ２２と、ラウンド部Ｒ１１，Ｒ１２とそれぞれ重なるラウンド部Ｒ２１，Ｒ２２と、短辺ＳＳ２２と、を有している。短辺ＳＳ２２は、短辺ＳＳ１２とは重なっていない。より詳細には、第２基板ＳＵＢ２は短辺ＳＳ２２と長辺ＬＳ２１とを接続するラウンド部Ｒ２３と、短辺ＳＵＢ２２と長辺ＬＳ２２とを接続するラウンド部Ｒ２４をと有し、ラウンド部Ｒ２３はラウンド部Ｒ１３に一部重なり、ラウンド部Ｒ２４はラウンド部Ｒ１４に一部重なるように形成される。実装領域ＭＡは、第１基板ＳＵＢ１のうち短辺ＳＳ１２と短辺ＳＳ２２との間に位置している。
【００１６】
表示領域ＤＡは、第１方向Ｘに沿って延在した一対の短辺ＳＳ１，ＳＳ２と、第２方向Ｙに沿って延在した一対の長辺ＬＳ１，ＬＳ２と、４つのラウンド部Ｒａ，Ｒｂ，Ｒｃ，Ｒｄと、を有している。短辺ＳＳ１，ＳＳ２、及び長辺ＬＳ１，ＬＳ２は、隣り合うラウンド部を繋ぐ直線部に相当する。  
より詳細には、表示領域ＤＡの輪郭を示すラウンド部Ｒと、第１基板ＳＵＢ１及び第２基板ＳＵＢ２のラウンド部Ｒを、それぞれ定義する曲率半径は対応するラウンド部Ｒでそれぞれ一致してもよいし、それぞれ異なった曲率半径であってもよい。
【００１７】
また、実装領域ＭＡの幅、すなわち短辺ＳＳ１２と短辺ＳＳ２２との間隔は、非表示領域ＮＤＡの長辺側の幅、すなわち長辺ＬＳ１と長辺ＬＳ１１との間隔（長辺ＬＳ２と長辺ＬＳ１２との間隔）と比較して同程度もしくはそれ以下の幅となっている。
【００１８】
本実施形態の表示パネルＰＮＬは、第１基板ＳＵＢ１の背面側からの光を選択的に透過させることで画像を表示する透過表示機能を備えた透過型の表示パネル、第２基板ＳＵＢ２の前面側からの光を選択的に反射させることで画像を表示する反射表示機能を備えた反射型の表示パネル、あるいは、透過表示機能及び反射表示機能を備えた半透過型の表示パネルの何れであってもよい。
【００１９】
図２は、図１に示した表示パネルＰＮＬに信号源が実装された一構成例を示す平面図である。  
図２に示すように、表示装置ＤＳＰは、表示パネルＰＮＬの実装領域ＭＡに実装されたフレキシブル回路基板Ｆと、フレキシブル回路基板Ｆに実装されたＩＣチップＣＰと、を備えている。ＩＣチップＣＰは、例えば、画像表示に必要な信号を出力するディスプレイドライバＤＤを内蔵している。図中において、ＩＣチップＣＰは一点鎖線で示し、ディスプレイドライバＤＤは破線で示し、いわゆるＣＯＦ（Chip on Film）の構造となっている。ここでのディスプレイドライバＤＤは、後述する信号線駆動回路ＳＤ、走査線駆動回路ＧＤ、及び共通電極駆動回路ＣＤの少なくとも一部を含むものである。なお、図示した例に限らず、ＩＣチップＣＰは、実装領域ＭＡに実装される、いわゆるＣＯＧ（Chip on Glass）の構造であってもよい。本実施形態において、第１基板ＳＵＢ１のコア基板（後述する第１絶縁基板１０）はガラス基板であるが、ガラス基板以外の基板であってもよく、可撓性を有する樹脂基板であっても良い。
【００２０】
図３は、図１に示した表示パネルＰＮＬの基本構成及び等価回路を示す図である。  
図３に示すように、表示パネルＰＮＬは、表示領域ＤＡにおいて、複数の副画素ＳＰを備えている。複数の副画素ＳＰは、第１方向Ｘ及び第２方向Ｙに並べられ、マトリクス状に配置されている。少なくとも３個の副画素ＳＰは１つの画素を構成している。本実施形態において、第１方向Ｘに隣合う３個の副画素ＳＰは、１つの画素を構成している。また、表示パネルＰＮＬは、表示領域ＤＡにおいて、複数本の走査線Ｇ、複数本の信号線Ｓ、共通電極ＣＥなどを備えている。走査線Ｇは、各々第１方向Ｘに延在し、第２方向Ｙに間隔を置いて並んでいる。信号線Ｓは、各々第２方向Ｙに延在し、第１方向Ｘに間隔を置いて並んでいる。なお、走査線Ｇ及び信号線Ｓは、必ずしも直線的に延在していなくてもよく、それらの一部が屈曲していてもよい。共通電極ＣＥは、複数の副画素ＳＰにわたって配置され、複数の副画素ＳＰで共用されている。
【００２１】
走査線Ｇは、走査線駆動回路ＧＤに接続されている。信号線Ｓは、信号線駆動回路ＳＤに接続されている。共通電極ＣＥは、共通電極駆動回路ＣＤに接続されている。信号線駆動回路ＳＤ、走査線駆動回路ＧＤ、及び共通電極駆動回路ＣＤは、非表示領域ＮＤＡにおいて、第１基板ＳＵＢ１上に形成されてもよいし、これらの一部或いは全部が図２に示したＩＣチップＣＰに内蔵されていてもよい。一例では、走査線駆動回路ＧＤは、図１に破線で示したように、長辺ＬＳ１と長辺ＬＳ１１との間、及び長辺ＬＳ２と長辺ＬＳ１２との間に設けられる。但し、各駆動回路のレイアウトは、図示した例に限られるものではない。
【００２２】
各副画素ＳＰは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ複数の副画素ＳＰの各々におけるスイッチング素子ＳＷと接続されている。信号線Ｓは、第２方向Ｙに並んだ複数の副画素ＳＰの各々におけるスイッチング素子ＳＷと接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び画素電極ＰＥと同電位の電極の間に形成されている。
【００２３】
なお、表示パネルＰＮＬの詳細な構成については説明を省略するが、基板主面の法線に沿った縦電界を利用する表示モード、あるいは、基板主面の法線に対して傾斜した斜め電界を利用する表示モードでは、画素電極ＰＥが第１基板ＳＵＢ１に備えられる一方で、共通電極ＣＥが第２基板ＳＵＢ２に備えられる。また、基板主面に沿った横電界を利用する表示モードでは、画素電極ＰＥ及び共通電極ＣＥの双方が第１基板ＳＵＢ１に備えられている。さらには、表示パネルＰＮＬは、上記の縦電界、横電界、及び斜め電界を適宜組み合わせて利用する表示モードに対応した構成を有していてもよい。なお、ここでの基板主面とは、第１方向Ｘ及び第２方向Ｙによって規定されるＸ−Ｙ平面に相当する。
【００２４】
図４は、図１に示した第１基板ＳＵＢ１を第２基板ＳＵＢ２の側から見たときの副画素ＳＰの一構成例を示す平面図である。なお、ここでは、説明に必要な構成のみを図示しており、画素電極や共通電極の図示を省略している。  
図４に示すように、第１基板ＳＵＢ１は、走査線Ｇｉ，Ｇｉ＋１、信号線Ｓｊ，Ｓｊ＋１、スイッチング素子ＳＷなどを備えている。
【００２５】
走査線Ｇｉ，Ｇｉ＋１は、第２方向Ｙに間隔をおいて配置され、それぞれ第１方向Ｘに延在している。信号線Ｓｊ，Ｓｊ＋１は、第１方向Ｘに間隔をおいて配置され、それぞれ第２方向Ｙに延在している。図示した例では、信号線Ｓｊ，Ｓｊ＋１の一部が屈曲しているが、第２方向Ｙに沿って直線状に延在していてもよい。副画素ＳＰは、走査線Ｇｉ，Ｇｉ＋１と信号線Ｓｊ，Ｓｊ＋１とが成すマス目の領域に相当する。なお、副画素ＳＰの形状は、図示した例に限らず、第２方向Ｙに長軸を有する長方形状などであってもよく、適宜に変更することが可能である。
【００２６】
スイッチング素子ＳＷは、走査線Ｇｉ及び信号線Ｓｊと電気的に接続されている。図示した例のスイッチング素子ＳＷは、ダブルゲート構造を有している。スイッチング素子ＳＷは、半導体層ＳＣ及び中継電極ＲＥを備えている。半導体層ＳＣは、その一部分が信号線Ｓｊと重なるように配置され、他の部分が信号線Ｓｊ，Ｓｊ＋１の間に延在し、略Ｕ字状に形成されている。半導体層ＳＣは、信号線Ｓｊと重なる領域、及び信号線Ｓｊ，Ｓｊ＋１の間において走査線Ｇｉと交差している。本実施形態において、半導体層ＳＣは、走査線Ｇｉの２個所と交差しているが、これに限らず、走査線Ｇｉの１個所と交差していてもよく、３個所と交差していてもよい。
【００２７】
走査線Ｇｉにおいて、半導体層ＳＣと重畳する領域がそれぞれゲート電極ＧＥ１，ＧＥ２として機能している。半導体層ＳＣは、その一端部ＳＣＡにおいてコンタクトホールＣＨ１を通じて信号線Ｓｊと電気的に接続され、また、その他端部ＳＣＢにおいてコンタクトホールＣＨ２を通じて中継電極ＲＥと電気的に接続されている。中継電極ＲＥは、島状に形成され、信号線Ｓｊ，Ｓｊ＋１の間に配置されている。
【００２８】
図５は、副画素ＳＰに配置される画素電極ＰＥの一構成例を示す平面図である。なお、ここでは、説明に必要な構成のみを図示しており、走査線やスイッチング素子の図示を省略している。  
図５に示すように、画素電極ＰＥは、信号線Ｓｊ，Ｓｊ＋１の間に配置されている。画素電極ＰＥは、コンタクト部ＰＡ、主電極部ＰＢ、及び他端部ＰＣを備えている。コンタクト部ＰＡ、主電極部ＰＢ、及び他端部ＰＣは、一体的あるいは連続的に形成され、互いに電気的に接続されている。
【００２９】
コンタクト部ＰＡは、中継電極ＲＥと重なる位置に配置され、コンタクトホールＣＨ３を通じて中継電極ＲＥと電気的に接続されている。主電極部ＰＢは、信号線Ｓｊ，Ｓｊ＋１に沿った形状を有しており、図示した例では、信号線Ｓｊに沿って延在した２本のスリットＰＳＬを有している。２本のスリットＰＳＬは、間隔をおいて第１方向Ｘに並び、それぞれ第１方向Ｘに沿って略同一の幅を有している。なお、画素電極ＰＥの形状は、図示した例に限定されるものではなく、副画素ＳＰの形状などに合わせて適宜変更することができる。また、スリットＰＳＬの形状や本数などについても図示した例に限定されない。
【００３０】
共通電極ＣＥは、信号線Ｓｊ，Ｓｊ＋１の上に重なっている。画素電極ＰＥは、共通電極ＣＥの上に重なっている。共通電極ＣＥは、中継電極ＲＥと重なる位置に開口部ＯＰを有している。
【００３１】
図６は、図４の線ＶＩ−ＶＩに沿った表示パネルＰＮＬを示す断面図である。図示した例は、横電界を利用する表示モードの一つであるＦＦＳ（Fringe Field Switching）モードが適用された例に相当する。  
図６に示すように、第１基板ＳＵＢ１は、第１絶縁基板１０、第１絶縁膜１１、第２絶縁膜１２、第３絶縁膜１３、第４絶縁膜１４、第５絶縁膜１５、下側遮光層ＵＳ、半導体層ＳＣ、走査線Ｇｉ、信号線Ｓｊ、中継電極ＲＥ、共通電極ＣＥ、画素電極ＰＥ、第１配向膜ＡＬ１などを備えている。
【００３２】
第１絶縁基板１０は、ガラス基板である。但し、第１絶縁基板１０は、ガラス基板に限定されるものではなく、樹脂基板などの光透過性を有する絶縁基板であればよい。下側遮光層ＵＳは、第１絶縁基板１０の上に位置し、第１絶縁膜１１によって覆われている。下側遮光層ＵＳは、バックライトユニットＢＬから半導体層ＳＣに向かう光を遮光する。半導体層ＳＣは、第１絶縁膜１１の上に位置し、第２絶縁膜１２によって覆われている。半導体層ＳＣは、例えば、多結晶シリコンによって形成されているが、アモルファスシリコンや酸化物半導体によって形成されていてもよい。
【００３３】
走査線Ｇｉの一部であるゲート電極ＧＥ１，ＧＥ２は、第２絶縁膜１２の上に位置し、第３絶縁膜１３によって覆われている。なお、図示しない走査線Ｇｉ＋１も、走査線Ｇｉと同一層に配置される。走査線Ｇｉは、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合わせた合金などによって形成され、単層構造であってもよいし、多層構造であってもよい。本実施形態において、走査線Ｇｉはモリブデン・タングステン（ＭｏＷ）で形成されている。なお、下側遮光層ＵＳは、ゲート電極ＧＥ１，ＧＥ２と対向する位置の半導体層ＳＣの真下に位置していることが望ましい。
【００３４】
信号線Ｓｊ及び中継電極ＲＥは、第３絶縁膜１３の上に位置し、第４絶縁膜１４によって覆われている。なお、図示しない信号線Ｓｊ＋１も、信号線Ｓｊと同一層に配置される。信号線Ｓｊ及び中継電極ＲＥは、同一材料によって形成され、上記の金属材料等が適用可能である。信号線Ｓｊは、第２絶縁膜１２及び第３絶縁膜１３を貫通するコンタクトホールＣＨ１を通り半導体層ＳＣにコンタクトしている。中継電極ＲＥは、第２絶縁膜１２及び第３絶縁膜１３を貫通するコンタクトホールＣＨ２を通り半導体層ＳＣにコンタクトしている。
【００３５】
共通電極ＣＥは、第４絶縁膜１４の上に位置し、第５絶縁膜１５によって覆われている。画素電極ＰＥは、第５絶縁膜１５の上に位置し、第１配向膜ＡＬ１によって覆われている。画素電極ＰＥの一部は、共通電極ＣＥと対向している。共通電極ＣＥ及び画素電極ＰＥは、インジウム・ティン・オキサイド（ＩＴＯ）、インジウム・ジンク・オキサイド（ＩＺＯ）、ジンク・オキサイド（ＺｎＯ）などの透明な導電材料によって形成された透明電極である。画素電極ＰＥは、共通電極ＣＥの開口部ＯＰと重畳する位置において、第４絶縁膜１４及び第５絶縁膜１５を貫通するコンタクトホールＣＨ３を通り中継電極ＲＥにコンタクトしている。  
第１絶縁膜１１、第２絶縁膜１２、第３絶縁膜１３、及び第５絶縁膜１５は、シリコン酸化物、シリコン窒化物、シリコン酸窒化物などの無機絶縁膜であり、単層構造であってもよいし、多層構造であってもよい。第４絶縁膜１４は、アクリル樹脂などの有機絶縁膜である。
【００３６】
第２基板ＳＵＢ２は、第２絶縁基板２０、遮光層ＢＭ、カラーフィルタＣＦ、オーバーコート層ＯＣ、第２配向膜ＡＬ２などを備えている。  
第２絶縁基板２０は、ガラス基板である。但し、第２絶縁基板２０は、ガラス基板に限定されるものではなく、樹脂基板などの光透過性を有する絶縁基板であればよい。遮光層ＢＭ及びカラーフィルタＣＦは、第２絶縁基板２０の第１基板ＳＵＢ１と対向する側に位置している。本実施形態において、遮光層ＢＭは、図４に示した信号線Ｓｊ，Ｓｊ＋１や走査線Ｇｉ，Ｇｉ＋１やスイッチング素子ＳＷなどの配線部とそれぞれ対向する位置に配置されている。この場合、遮光層ＢＭは、表示領域ＤＡにおいて格子状に形成されている。格子形状に形成された遮光層ＢＭはブラックマトリクスと呼ぶことも有る。但し、本実施形態と異なり、遮光層ＢＭは、信号線Ｓｊ，Ｓｊ＋１と対向する位置に配置されていなくともよい。この場合、遮光層ＢＭは、第１方向Ｘに延在し、ストライプ状に形成されている。何れにおいても、遮光層ＢＭは、少なくとも、第１方向Ｘに延在し、ストライプ状に形成されていればよい。
【００３７】
カラーフィルタＣＦは、画素電極ＰＥと対向する位置に配置され、その一部が遮光層ＢＭに重なっている。カラーフィルタＣＦは、例えば、複数の第１色層と、複数の第２色層と、複数の第３色層と、を有している。本実施形態において、第１色は赤色であり、第２色は緑色であり、第３色は青色である。但し、第１色、第２色、及び第３色は、本実施形態に限定されるものではなく、他の色を有していてもよい。また、カラーフィルタＣＦは、透明或いは白色の層を更に含んでいてもよい。
【００３８】
オーバーコート層ＯＣは、カラーフィルタＣＦを覆っている。オーバーコート層ＯＣは、透明な樹脂によって形成されている。第２配向膜ＡＬ２は、オーバーコート層ＯＣを覆っている。第１配向膜ＡＬ１及び第２配向膜ＡＬ２は、例えば、水平配向性を呈する材料によって形成されている。一例では、図５に示したように、第１配向膜ＡＬ１の配向処理方向ＡＤ１は第２方向Ｙと平行であり、第２配向膜ＡＬ２の配向処理方向ＡＤ２は配向処理方向ＡＤ１と平行であり且つ配向処理方向ＡＤ１とは逆向きである。
【００３９】
なお、カラーフィルタＣＦは、第１基板ＳＵＢ１に配置されてもよい。遮光層ＢＭは、カラーフィルタＣＦとオーバーコート層ＯＣとの間、あるいは、オーバーコート層ＯＣと第２配向膜ＡＬ２との間に配置されてもよい。また、遮光層ＢＭを配置する替わりに、異なる色の色層を２層以上重ね合せることで透過率を低下させ、遮光層として機能させてもよい。また、白色の副画素が追加されてもよく、白色の副画素には白色の層を配置してもよいし、透明な層を配置してもよいし、上記透明な層を配置せずにオーバーコート層ＯＣを配置してもよい。
【００４０】
上述した第１基板ＳＵＢ１及び第２基板ＳＵＢ２は、第１配向膜ＡＬ１及び第２配向膜ＡＬ２が対向するように配置されている。図示しないが、スペーサは、樹脂材料によって形成され、第１基板ＳＵＢ１及び第２基板ＳＵＢ２の間に配置されている。これにより、第１配向膜ＡＬ１と第２配向膜ＡＬ２との間に所定のセルギャップが形成される。但し、スペーサとして、セルギャップを形成するメインスペーサの他に、表示パネルＰＮＬに対して外部応力が加わっていない定常状態で一方の基板に接触していないサブスペーサが含まれていてもよい。セルギャップは、例えば２乃至５μｍである。第１基板ＳＵＢ１及び第２基板ＳＵＢ２は、非表示領域ＮＤＡに設けられたシール材によって接合されている。
【００４１】
液晶層ＬＣは、第１基板ＳＵＢ１及び第２基板ＳＵＢ２の間に位置し、第１配向膜ＡＬ１と第２配向膜ＡＬ２との間に保持されている。液晶層ＬＣは、第１基板ＳＵＢ１及び第２基板ＳＵＢ２とともに複数の画素ＰＸを構成している。液晶層ＬＣは、液晶分子ＬＭを含んでいる。このような液晶層ＬＣは、ポジ型（誘電率異方性が正）の液晶材料、あるいは、ネガ型（誘電率異方性が負）の液晶材料によって構成されている。
【００４２】
第１基板ＳＵＢ１の下方には、第１偏光板ＰＬ１を含む第１光学素子ＯＤ１が配置されている。また、第２基板ＳＵＢ２の上方には、第２偏光板ＰＬ２を含む第２光学素子ＯＤ２が配置されている。一例では、第１偏光板ＰＬ１及び第２偏光板ＰＬ２は、それぞれの吸収軸がＸ−Ｙ平面において互いに直交するように配置されている。なお、第１光学素子ＯＤ１及び第２光学素子ＯＤ２は、必要に応じて、光散乱層、光反射防止層、１／４波長板や１／２波長板などの位相差板、などを備えていてもよい。
【００４３】
このような構成例においては、画素電極ＰＥと共通電極ＣＥとの間に電界が形成されていないオフ状態において、液晶分子ＬＭは、第１配向膜ＡＬ１及び第２配向膜ＡＬ２の間で所定の方向（例えば第２方向Ｙ）に初期配向している。このようなオフ状態では、バックライトユニットＢＬから表示パネルＰＮＬに向けて照射された光は、第１光学素子ＯＤ１及び第２光学素子ＯＤ２によって吸収され、暗表示となる。一方、画素電極ＰＥと共通電極ＣＥとの間に電界が形成されたオン状態においては、液晶分子ＬＭは、電界により初期配向方向とは異なる方向に配向し、その配向方向は電界によって制御される。このようなオン状態では、バックライトユニットＢＬからの光の一部は、第１光学素子ＯＤ１及び第２光学素子ＯＤ２を透過し、明表示となる。
【００４４】
図７は、上記表示パネルＰＮＬの表示領域ＤＡの１つのラウンド部Ｒａ及び短辺ＳＳ１を含む領域を示す平面図であり、理想的な表示領域と複数の画素ＰＸとの関係を説明するための図である。ここで、図１に示した表示領域ＤＡのラウンド部Ｒａ乃至Ｒｄの各々と画素ＰＸとの関係は、同様である。そこで、以下、ラウンド部Ｒａの近傍の領域を代表して説明する。  
図７に示すように、表示装置ＤＳＰは、第１領域Ａ１と、第１領域Ａ１に隣接する第２領域Ａ２と、第１領域Ａ１と第２領域Ａ２との境界線Ｂと、を備えている。本実施形態において、第２領域Ａ２は第１領域Ａ１の外側に位置している。第１領域Ａ１は理想的な表示領域であり、第２領域Ａ２は理想的な非表示領域（遮光領域）である。
【００４５】
境界線Ｂは、表示領域の理想的な輪郭に相当する。境界線Ｂは、直線状の第１境界線Ｂ１と、第１境界線に繋がる曲線状の第２境界線Ｂ２と、を有し、第１領域Ａ１を囲い、枠状を成している。図示した例では、境界線Ｂは、第１領域Ａ１の上側に位置し第１方向Ｘに平行な第１境界線Ｂ１Ｕと、第１領域Ａ１の左上に位置し第１境界線Ｂ１Ｕに繋がる第２境界線Ｂ２ａと、を有している。なお、第１境界線Ｂ１Ｕ及び第２境界線Ｂ２ａは、例示したものであり、境界線Ｂは、短辺ＳＳ２、及び長辺ＬＳ１，ＬＳ２と対応する複数の第１境界線Ｂ１と、ラウンド部Ｒｂ乃至Ｒｄと対応する複数の第２境界線Ｂ２と、をさらに有している。
【００４６】
複数の画素ＰＸは、第１方向Ｘ及び第２方向Ｙにマトリクス状に配置されている。なお、上述したように、各々の画素ＰＸは、第１方向Ｘに並んだ複数色の副画素ＳＰを備えている。表示領域ＤＡは、第２境界線Ｂ２ａが通る第１ラウンド領域Ｒ１と、第２境界線Ｂ２ａが通る第２ラウンド領域Ｒ２と、第１表示領域ＤＡ１と、を有している。図７には、３つの第１ラウンド領域Ｒ１ａ，Ｒ１ｂ，Ｒ１ｃと、１つの第２ラウンド領域Ｒ２ａと、を例示している。第１ラウンド領域Ｒ１ａ，Ｒ１ｂ，Ｒ１ｃ、及び第２ラウンド領域Ｒ２ａは、第１方向Ｘに延在している。
【００４７】
第１表示領域ＤＡ１は、第１領域Ａ１のうち第１ラウンド領域Ｒ１ａ，Ｒ１ｂ，Ｒ１ｃ及び第２ラウンド領域Ｒ２ａを含んでいない。なお、本実施形態において、境界線Ｂは、第２境界線Ｂ２ａ以外の第２境界線Ｂ２も含んでいる。そのため、第１表示領域ＤＡ１は、第１領域Ａ１のうち、第１ラウンド領域Ｒ１ａ，Ｒ１ｂ，Ｒ１ｃ以外の第１ラウンド領域Ｒ１及び第２ラウンド領域Ｒ２ａ以外の第２ラウンド領域Ｒ２も含んでいない。言い換えると、第１表示領域ＤＡ１は、第１領域Ａ１のうち各々の第２境界線Ｂ２が通る領域を含んでいない。
【００４８】
表示領域ＤＡのうち、複数の第１ラウンド領域Ｒ１及び複数の第２ラウンド領域Ｒ２の全てを第２表示領域ＤＡ２と称する。第１表示領域ＤＡ１のうち、第１境界線Ｂ１が通り第１境界線Ｂ１と並行に延在する領域をストレート領域Ｒ３と称する。第１表示領域ＤＡ１は、第１境界線Ｂ１Ｕが通り第１境界線Ｂ１Ｕと並行に延在するストレート領域Ｒ３ａを含んでいる。本実施形態において、境界線Ｂは、第１境界線Ｂ１Ｕ以外の第１境界線Ｂ１も含んでいる。そのため、第１表示領域ＤＡ１はストレート領域Ｒ３ａ以外のストレート領域Ｒ３も含んでいる。言い換えると、第１表示領域ＤＡ１は、各々の第１境界線Ｂ１が通るストレート領域Ｒ３を含んでいる。
【００４９】
表示領域ＤＡは、複数の画素ＰＸが位置する領域である。上記液晶層ＬＣは、少なくとも表示領域ＤＡに位置している。非表示領域ＮＤＡは、第２領域Ａ２のうち、第１ラウンド領域Ｒ１及び第２ラウンド領域Ｒ２以外の領域であり、図７で言う斜線が付してある領域である。なお、非表示領域ＮＤＡは、上記遮光層ＢＭなどで遮光されている。
【００５０】
複数の画素ＰＸは、第１ラウンド領域Ｒ１ａ，Ｒ１ｂ，Ｒ１ｃにて第１方向Ｘに連続してＮ個以上並んでいる複数の画素ＰＸと、第２ラウンド領域Ｒ２ａにて第１方向Ｘに連続してＮ個未満並んでいる複数の画素ＰＸと、第１表示領域ＤＡ１に位置する複数の画素ＰＸと、を含んでいる。なお、第２ラウンド領域Ｒ２には、複数の画素ＰＸが位置していなくともよく、一の画素ＰＸが位置していてもよい。
【００５１】
第１表示領域ＤＡ１に位置する複数の画素ＰＸは、複数の第１画素ＰＸ１である。第１ラウンド領域Ｒ１ａ，Ｒ１ｂ，Ｒ１ｃに位置する複数の画素ＰＸは、複数の第２画素ＰＸ２である。第２ラウンド領域Ｒ２ａに位置する複数の画素ＰＸは、第３画素ＰＸ３と、上記第３画素より第２領域Ａ２側に位置する割合の大きい第４画素ＰＸ４と、を含んでいる。図中、第１画素ＰＸ１には「１」を、第２画素ＰＸ２には「２」を、第３画素ＰＸ３には「３」を、第４画素ＰＸ４には「４」を、それぞれ付している。
【００５２】
表示領域ＤＡのラウンド部Ｒａは、図７で言う数字が付してある領域と斜線が付してある領域との境界に相当している。そのため、複数の画素ＰＸに注目し遮光層ＢＭに注目しない場合、ラウンド部Ｒａは、厳密にはラウンド状ではない。表示領域ＤＡのラウンド部Ｒａを第２境界線Ｂ２ａに一致させることは困難である。そこで、本実施形態では、第１ラウンド領域Ｒ１ａ，Ｒ１ｂ，Ｒ１ｃ及び第２ラウンド領域Ｒ２ａにおける遮光層ＢＭの形状を調整し、ラウンド部Ｒａの輪郭のギザギザを目立たなくするものである。
【００５３】
次に、遮光層ＢＭの構成について説明する。図８は、上記表示パネルＰＮＬのラウンド部Ｒａ及び短辺ＳＳ１の一部を示す平面図であり、遮光層ＢＭと、複数の開口領域ＡＰと、を示す図である。  
図８に示すように、遮光層ＢＭは、光透過領域を調整するように構成されている。遮光層ＢＭは、第１遮光部ＳＨ１と、複数の第２遮光部ＳＨ２と、複数の第３遮光部ＳＨ３と、複数の開口領域ＡＰと、を有している。
【００５４】
第１遮光部ＳＨ１は、第２領域Ａ２に位置している。第２遮光部ＳＨ２及び第３遮光部ＳＨ３は、少なくとも第１領域Ａ１に位置し、互いに交差している。第１遮光部ＳＨ１、第２領域Ａ２、及び第３遮光部ＳＨ３は、一体に形成されている。複数の開口領域ＡＰは、第１遮光部ＳＨ１、複数の第２遮光部ＳＨ２、及び複数の第３遮光部ＳＨ３で囲まれている。遮光層ＢＭは、複数の開口領域ＡＰを区画している。そして、遮光層ＢＭは、各々の上記副画素ＳＰにおける開口領域ＡＰの輪郭を形成するように構成されている。言い換えると、遮光層ＢＭは、開口領域ＡＰの面積を調整するように構成されている。
【００５５】
複数の第２遮光部ＳＨ２は、それぞれ、第１方向Ｘに延在し、第２方向Ｙに間隔を置いて並べられ、第２方向Ｙに複数の開口領域ＡＰと交互に並べられている。複数の第３遮光部ＳＨ３は、それぞれ、第２方向Ｙに延在し、第１方向Ｘに間隔を置いて並べられ、第１方向Ｘに複数の開口領域ＡＰと交互に並べられている。
【００５６】
本実施形態において、各々の第２遮光部ＳＨ２は、第１方向Ｘに直線状に延在している。各々の第３遮光部ＳＨ３は、第３方向ｄ３及び第４方向ｄ４に沿って屈曲しつつ延在している。第３方向ｄ３は第１方向Ｘ及び第２方向Ｙと異なる方向であり、第４方向ｄ４は第１方向Ｘ、第２方向Ｙ及び第３方向ｄ３と異なる方向である。本実施形態において、図中、第３方向ｄ３は左斜め下方向であり、第４方向ｄ４は右斜め下方向である。第２方向Ｙに隣合う一対の開口領域ＡＰに注目した場合、一方の開口領域ＡＰは第３方向ｄ３に延在し、他方の開口領域ＡＰは第４方向ｄ４に延在している。各々の第３遮光部ＳＨ３は、第２方向Ｙに並ぶ画素ＰＸの境界部にて屈曲している。
【００５７】
本実施形態において、各々の画素ＰＸは３個の副画素ＳＰを有しているため、各々の画素ＰＸは３つの開口領域ＡＰを有している。上記３つの開口領域ＡＰは、第１色の光を透過する開口領域ＡＰ、第２色の光を透過する開口領域ＡＰ、及び第３色の光を透過する開口領域ＡＰである。本実施形態において、各々の画素ＰＸの３つの開口領域ＡＰは、互いに同一の面積を有している。但し、本実施形態と異なり、各々の画素ＰＸの３つの開口領域ＡＰの面積は、同一でなくともよい。開口領域ＡＰは、開口と称される場合もある。図中、遮光層ＢＭは斜線を付した領域に相当し、各開口ＡＰは斜線を付していない領域に相当する。複数の画素ＰＸは、二点鎖線で区域している。
【００５８】
図９は、上記表示パネルＰＮＬのラウンド部Ｒａを含む領域の一部を示す平面図であり、遮光層ＢＭと、複数の開口領域ＡＰと、を示す図である。  
図８及び図９に示すように、第１遮光部ＳＨ１のうち第１領域Ａ１側の端部は、直線状の第１端部Ｅ１と、曲線状の第２端部Ｅ２と、階段状の第３端部Ｅ３と、を有している。第２端部Ｅ２は、第１端部Ｅ１と第３端部Ｅ３との間に位置している。第１端部Ｅ１、第２端部Ｅ２、及び第３端部Ｅ３は、連続して並んでいる。
【００５９】
図８に示すように、第１端部Ｅ１は、ストレート領域Ｒ３ａにて、第１境界線Ｂ１Ｕ上に位置している。ストレート領域Ｒ３ａに位置する複数の第１画素ＰＸ１は第１方向Ｘに揃い、これらの第１画素ＰＸ１の開口領域ＡＰの上辺は、第１境界線Ｂ１Ｕ上に位置している。このため、表示領域ＤＡの上辺（短辺ＳＳ１）を第１境界線Ｂ１Ｕに一致させることにより、表示領域ＤＡの理想的な上辺を得ることができる。ここで、ストレート領域Ｒ３ａに位置する複数の第１画素ＰＸ１は、短辺ＳＳ１１に沿って配置され、第１開口領域（開口領域ＡＰ）を有し、第１画素群を構成している。遮光層ＢＭ（第１遮光部ＳＨ１）は、ストレート領域Ｒ３ａに位置する複数の第１画素ＰＸ１の開口領域ＡＰの短辺ＳＳ１１側に沿って形成された第１直線部を含んでいる。上記第１画素群の第１画素ＰＸ１は、少なくとも３つの副画素ＳＰを有している。上記３つの副画素ＳＰにそれぞれ対応する上記第１開口領域は、上記３つの副画素それぞれにおいて実質的に同じである。  
なお、第１ラウンド領域Ｒ１ａを含み第１方向Ｘに延在する一行に注目した場合、複数の第２画素ＰＸ２及び複数の第１画素ＰＸ１は、第１方向Ｘに順に並べられている。
【００６０】
図８及び図９に示すように、第２端部Ｅ２は、第１ラウンド領域Ｒ１ａ，Ｒ１ｃにおいて、第２境界線Ｂ２ａ上に位置している。図示しないが、第２端部Ｅ２は、第１ラウンド領域Ｒ１ｂにおいても第２境界線Ｂ２ａ上に位置している。第１ラウンド領域Ｒ１ａ，Ｒ１ｂ，Ｒ１ｃにおいて、遮光層ＢＭは、第２領域Ａ２に属する部分の全体を覆っている。第１ラウンド領域Ｒ１ａ，Ｒ１ｂ，Ｒ１ｃにおいて、ラウンド部Ｒａを第２境界線Ｂ２ａに一致させることができるため、ラウンド状のラウンド部Ｒａを得ることができる。
【００６１】
ここで、各々の第１ラウンド領域Ｒ１ａ，Ｒ１ｃに位置する複数の第２画素ＰＸ２は、ラウンド部Ｒａに沿って配置され、第２開口領域（開口領域ＡＰ）を有し、第２画素群を構成している。遮光層ＢＭ（第１遮光部ＳＨ１）は、各々の第１ラウンド領域Ｒ１ａ，Ｒ１ｃに位置する複数の第２画素ＰＸ２の開口領域ＡＰのラウンド部Ｒａに沿って形成された曲線部を含んでいる。上記第２画素群の第２画素ＰＸ２は、少なくとも３つの副画素ＳＰを有している。上記３つの副画素ＳＰにそれぞれ対応する上記第２開口領域は、上記３つの副画素ＳＰそれぞれにおいて異なっている。
【００６２】
図９に示すように、第３端部Ｅ３は、第２ラウンド領域Ｒ２ａにて、第１方向Ｘ及び第２方向Ｙに沿って折れ曲がって延在している。第４画素ＰＸ４の開口領域ＡＰの総面積は、第３画素ＰＸ３の開口領域ＡＰの総面積より小さい。上記のように、第２ラウンド領域Ｒ２ａの画素ＰＸの開口領域の面積を調整することにより、表示領域ＤＡのラウンド部Ｒａの輪郭を光学的にぼかすことができる。言い換えると、表示領域ＤＡのラウンド部Ｒａの輪郭のギザギザを目立たなくすることができる。
【００６３】
ここで、第２ラウンド領域Ｒ２ａに位置する第３画素ＰＸ３及び第４画素ＰＸ４は、ラウンド部Ｒａに沿って配置され、第３開口領域（開口領域ＡＰ）を有し、第３画素群を構成している。なお、第２ラウンド領域Ｒ２ａに位置する画素を第３画素と総称する場合があり得る。遮光層ＢＭ（第１遮光部ＳＨ１）は、上記第３開口領域ＡＰの短辺ＳＳ１１側に沿って形成された第２直線部を含んでいる。  
さらに、遮光層ＢＭ（第１遮光部ＳＨ１）は、上記第３開口領域の長辺ＬＳ１１側に第３直線部を有している。上記第１直線部は上記曲線部に接続され、上記曲線部は上記第２直線部に接続され、上記第２直線部は上記第３直線部に接続されている。上記第３画素群の画素（第３画素）は、少なくとも３つの副画素ＳＰを有している。上記３つの副画素ＳＰにそれぞれ対応する上記第３開口領域は、上記３つの副画素ＳＰそれぞれにおいて実質的に同じである。  
なお、第２ラウンド領域Ｒ２ａを含み第１方向Ｘに延在する一行に注目した場合、第４画素ＰＸ４、第３画素ＰＸ３、及び複数の第１画素ＰＸ１は、第１方向Ｘに順に並べられている。
【００６４】
第１方向Ｘにおいて、第１ラウンド領域Ｒ１の幅は、第２ラウンド領域Ｒ２の幅より大きい。そのため、第２端部Ｅ２の形状を階段状とすることは望ましくない。なぜなら、第２端部Ｅ２の形状を階段状とした場合、表示領域ＤＡのラウンド部Ｒａの輪郭のギザギザが目立ってしまうためである。
【００６５】
ここで、上記Ｎの値について説明する。  
上述したように、第１ラウンド領域Ｒ１には、第１方向Ｘに連続してＮ個以上並んだ複数の第２画素ＰＸ２が設けられている。第２ラウンド領域Ｒ２ａには、一の画素ＰＸ又は第１方向Ｘに連続してＮ個未満並んだ複数の画素ＰＸが設けられている。  
本実施形態において、Ｎ＝４である。但し、上記Ｎは、３、又は５以上の自然数であってもよい。  
但し、上記Ｎの値が大きくなる程、ラウンド部Ｒａ（第２ラウンド領域Ｒ２）の輪郭のギザギザが目立ってしまう。そのため、ラウンド部Ｒａの輪郭のギザギザを目立たなくする観点から、上記Ｎの値は６以下である方が望ましい。  
一方、上記Ｎの値が小さくなる程、第１ラウンド領域Ｒ１の第２画素ＰＸ２の色バランスが崩れ易くなってしまう。なぜなら、第１ラウンド領域Ｒ１を通る第２境界線Ｂ２ａの曲率が高くなるためである。そのため、第１ラウンド領域Ｒ１の第２画素ＰＸ２の色バランスを崩れ難くする観点から、上記Ｎの値は４以上である方が望ましい。
【００６６】
次に、開口領域ＡＰのサイズ及び遮光層ＢＭの形状について説明する。  
図７乃至図９に示すように、第１画素ＰＸ１は正規の画素であり、第１画素ＰＸ１の開口領域ＡＰの面積は、正規の面積である。第２表示領域ＤＡ２に位置している各々の画素ＰＸの複数の開口領域ＡＰの総面積は、第１表示領域ＤＡ１に位置している各々の画素ＰＸの複数の開口領域ＡＰの総面積より小さい。  
また、同一色の光を透過する開口領域ＡＰ同士を比較した場合、第２ラウンド領域Ｒ２ａに位置している開口領域ＡＰの面積は、第１表示領域ＤＡ１に位置している開口領域ＡＰの面積より小さい。
【００６７】
第２遮光部ＳＨ２は、第１線状部ＬＰ１と、第２線状部ＬＰ２と、を含んでいる。  
第１線状部ＬＰ１は、第１表示領域ＤＡ１と第１ラウンド領域Ｒ１ａ，Ｒ１ｂ，Ｒ１ｃとに位置する開口領域ＡＰの輪郭を形成し、第２方向Ｙに第１幅Ｗ１を有している。  
第２線状部ＬＰ２は、第２ラウンド領域Ｒ２ａに位置する開口領域ＡＰの輪郭を調整し、第２方向Ｙに第２幅Ｗ２を有している。第２幅Ｗ２は、第１幅Ｗ１より大きい。  
そのため、本実施形態では、第２方向Ｙにおいて、第２ラウンド領域Ｒ２ａに位置する開口領域ＡＰは、第１表示領域ＤＡ１に位置している開口領域ＡＰより短い。
【００６８】
第１線状部ＬＰ１の第１幅Ｗ１は、一定である。第２線状部ＬＰ２の第２幅Ｗ２は、第１方向Ｘにて第２線状部ＬＰ２が第１線状部ＬＰ１から遠ざかる程、段階的に大きくなっている。そして、第２線状部ＬＰ２において、第３画素ＰＸ３の開口領域ＡＰの輪郭を調整する部分の第２幅Ｗ２より、第４画素ＰＸ４の開口領域ＡＰの輪郭を調整する部分の第２幅Ｗ２の方が大きい。
【００６９】
複数の第３遮光部ＳＨ３は、第１群に属する複数の第３遮光部ＳＨ３ａと、第２群に属する複数の第３遮光部ＳＨ３ｂと、を備えている。  
第３遮光部ＳＨ３ａは、第３線状部ＬＰ３と、第４線状部ＬＰ４と、を含んでいる。第３線状部ＬＰ３は、第１表示領域ＤＡ１に位置する開口領域ＡＰの輪郭を形成し、第１方向Ｘに第３幅Ｗ３を有している。第４線状部ＬＰ４は、第２ラウンド領域Ｒ２ａに位置する開口領域ＡＰの輪郭を調整し、第１方向Ｘに第４幅Ｗ４を有している。第４幅Ｗ４は、第３幅Ｗ３より大きい。  
第３遮光部ＳＨ３ｂは、第３線状部ＬＰ３と、第５線状部ＬＰ５と、を含んでいる。第５線状部ＬＰ５は、第１ラウンド領域Ｒ１ａ，Ｒ１ｂ，Ｒ１ｃに位置する開口領域ＡＰの輪郭を形成し、第１方向Ｘに第３幅Ｗ３を有している。  
そのため、本実施形態では、第１方向Ｘにおいて、第２ラウンド領域Ｒ２ａに位置する開口領域ＡＰは、第１表示領域ＤＡ１に位置している開口領域ＡＰより短い。
【００７０】
第３遮光部ＳＨ３ａ及び第３遮光部ＳＨ３ｂの各々の第３幅Ｗ３は、一定である。第１方向Ｘに並んだ複数の第４線状部ＬＰ４と第３線状部ＬＰ３とに注目した場合、第４幅Ｗ４は、第１方向Ｘにて第４線状部ＬＰ４が第３線状部ＬＰ３から遠ざかる程、段階的に大きくなっている。そして、第３画素ＰＸ３の開口領域ＡＰの輪郭を調整する第４線状部ＬＰ４の第４幅Ｗ４より、第４画素ＰＸ４の開口領域ＡＰの輪郭を調整する第４線状部ＬＰ４の第４幅Ｗ４の方が大きい。
【００７１】
次に、第１ラウンド領域Ｒ１と第２ラウンド領域Ｒ２とを区別する他の手法について説明する。上述したように、画素ＰＸを用いた場合、第２境界線Ｂ２が通る領域にて第１方向Ｘに連続して並ぶ画素ＰＸの個数に基づいて、第１ラウンド領域Ｒ１と第２ラウンド領域Ｒ２とを区別することができる。しかしながら、画素ＰＸを用いること無しに、第１ラウンド領域Ｒ１と第２ラウンド領域Ｒ２とを区別することも可能である。図１０は、図７に示したラウンド部Ｒａ及び短辺ＳＳ１を含む領域を示す平面図であり、第１ラウンド領域Ｒ１ａ，Ｒ１ｂ，Ｒ１ｃと第２ラウンド領域Ｒ２ａとを区別する一手法を説明するための図である。
【００７２】
図１０に示すように、第１ラウンド領域Ｒ１ａ，Ｒ１ｂ，Ｒ１ｃ、及び第２ラウンド領域Ｒ２ａの何れも、第２境界線Ｂ２ａが通る領域である。ここで、第２境界線Ｂ２ａの接線を接線ＴＡとする。また、第１境界線Ｂ１Ｕの延長線を延長線ＥＳとする。すると、第２境界線Ｂ２ａが通る領域のうち、接線ＴＡと延長線ＥＳとがなす角度θが基準値未満である領域を第１ラウンド領域Ｒ１に分けることができる。また、第２境界線Ｂ２ａが通る領域のうち、角度θが上記基準値以上である領域を第２ラウンド領域Ｒ２に分けることができる。例えば、第１ラウンド領域Ｒ１ａは角度θ１ａが上記基準値未満である領域であり、第２ラウンド領域Ｒ２ａは角度θ２ａが上記基準値以上である領域である。
【００７３】
図１１は、上記表示パネルＰＮＬの表示領域ＤＡの１つのラウンド部Ｒａ及び長辺ＬＳ１を含む領域を示す平面図であり、理想的な表示領域と複数の画素ＰＸとの関係を説明するための図である。  
図１１に示すように、境界線Ｂは、曲線状の第２境界線Ｂ２ａと、第１領域Ａ１の左側に位置し第２境界線Ｂ２ａに繋がり第２方向Ｙに平行な直線状の第１境界線Ｂ１Ｌと、を有している。
【００７４】
表示領域ＤＡは、第１表示領域ＤＡ１と、第２表示領域ＤＡ２と、を有している。第１表示領域ＤＡ１は、第１境界線Ｂ１Ｌが通り第１境界線Ｂ１Ｌと並行に延在するストレート領域Ｒ３ｂを含んでいる。第２表示領域ＤＡ２は、複数の第２ラウンド領域Ｒ２を含んでいる。複数の第２ラウンド領域Ｒ２として、図１１には、１７個の第２ラウンド領域Ｒ２を例示している。
【００７５】
複数の画素ＰＸは、第１表示領域ＤＡ１に位置する複数の第１画素ＰＸ１と、第２表示領域ＤＡ２に位置する複数の画素ＰＸと、を含んでいる。図１１に示す各々の第２ラウンド領域Ｒ２には、一の画素ＰＸが位置している。  
複数の第２ラウンド領域Ｒ２に位置する複数の画素ＰＸは、第５画素ＰＸ５と、上記第５画素より第２領域Ａ２側に位置する割合の大きい第６画素ＰＸ６と、上記第６画素より第２領域Ａ２側に位置する割合の大きい第７画素ＰＸ７と、上記第７画素より第２領域Ａ２側に位置する割合の大きい第８画素ＰＸ８と、上記第８画素より第２領域Ａ２側に位置する割合の大きい第９画素ＰＸ９と、上記第９画素より第２領域Ａ２側に位置する割合の大きい第１０画素ＰＸ１０と、上記第１０画素より第２領域Ａ２側に位置する割合の大きい第１１画素ＰＸ１１と、を含んでいる。
【００７６】
さらに、複数の第２ラウンド領域Ｒ２に位置する複数の画素ＰＸは、第１２画素ＰＸ１２と、上記第１２画素より第２領域Ａ２側に位置する割合の大きい第１３画素ＰＸ１３と、上記第１３画素より第２領域Ａ２側に位置する割合の大きい第１４画素ＰＸ１４と、上記第１４画素より第２領域Ａ２側に位置する割合の大きい第１５画素ＰＸ１５と、上記第１５画素より第２領域Ａ２側に位置する割合の大きい第１６画素ＰＸ１６と、上記第１６画素より第２領域Ａ２側に位置する割合の大きい第１７画素ＰＸ１７と、上記第１７画素より第２領域Ａ２側に位置する割合の大きい第１８画素ＰＸ１８と、上記第１８画素より第２領域Ａ２側に位置する割合の大きい第１９画素ＰＸ１９と、上記第１９画素より第２領域Ａ２側に位置する割合の大きい第２０画素ＰＸ２０と、上記第２０画素より第２領域Ａ２側に位置する割合の大きい第２１画素ＰＸ２１と、を含んでいる。  
図中、第５画素ＰＸ５乃至第２１画素ＰＸ２１には「５」〜「２１」を、それぞれ付している。本実施形態では、図１１に示した複数の第２ラウンド領域Ｒ２における遮光層ＢＭの形状も調整し、ラウンド部Ｒａの輪郭のギザギザを目立たなくするものである。
【００７７】
次に、遮光層ＢＭの構成について説明する。図１２は、図１１に示した表示パネルＰＮＬのラウンド部Ｒａを含む領域の一部を示す平面図であり、遮光層ＢＭと、複数の開口領域ＡＰと、を示す図である。  
図１１及び図１２に示すように、第１遮光部ＳＨ１のうち第１領域Ａ１側の端部は、上記第３端部Ｅ３と、直線状の第４端部Ｅ４と、を有している。第３端部Ｅ３及び第４端部Ｅ４は、連続して並んでいる。
【００７８】
図１１及び図１２に示すように、第２方向Ｙに並んだ第５画素ＰＸ５乃至第１１画素ＰＸ１１に注目した場合、第５画素ＰＸ５の開口領域ＡＰの総面積は最も大きく、第１１画素ＰＸ１１の開口領域ＡＰの総面積は最も小さく、上記総面積は、第５画素ＰＸ５より第１１画素ＰＸ１１に近づく画素ＰＸほど、次第に小さくなっている。第２方向Ｙに並んだ第１２画素ＰＸ１２乃至第２１画素ＰＸ２１に注目した場合、第１２画素ＰＸ１２の開口領域ＡＰの総面積は最も大きく、第２１画素ＰＸ２１の開口領域ＡＰの総面積は最も小さく、上記総面積は、第１２画素ＰＸ１２より第２１画素ＰＸ２１に近づく画素ＰＸほど、次第に小さくなっている。  
上記のように、遮光層ＢＭにて第２方向Ｙに並んだ複数の第２ラウンド領域Ｒ２の画素ＰＸの開口領域ＡＰの面積を調整することにより、表示領域ＤＡのラウンド部Ｒａの輪郭を光学的にぼかすことができる。
【００７９】
図１１に示すように、第４端部Ｅ４は、ストレート領域Ｒ３ｂにて、第１境界線Ｂ１Ｌ上に位置している。ストレート領域Ｒ３ｂに位置する複数の第１画素ＰＸ１は第２方向Ｙに揃い、これらの第１画素ＰＸ１の左端の開口領域ＡＰの左辺は、第１境界線Ｂ１Ｌ上に位置している。このため、表示領域ＤＡの左辺（長辺ＬＳ１）を第１境界線Ｂ１Ｌに一致させることにより、表示領域ＤＡの理想的な左辺を得ることができる。
【００８０】
上述したように、本実施形態において、第２ラウンド領域Ｒ２の画素ＰＸとして、第３画素ＰＸ３乃至第２１画素ＰＸ２１を例示した（図７及び図１１）。しかしながら、第２ラウンド領域Ｒ２の画素ＰＸは、第３画素ＰＸ３乃至第２１画素ＰＸ２１に限定されるものではなく、種々変形可能である。第２ラウンド領域Ｒ２には、一の画素ＰＸ、又は開口領域ＡＰの総面積が互いに異なる複数種類の画素ＰＸが位置していればよい。但し、第２ラウンド領域Ｒ２に位置する各々の画素ＰＸの複数の開口領域ＡＰの総面積は、第１画素ＰＸ１の開口領域ＡＰの総面積より小さい。
【００８１】
例えば、第２ラウンド領域Ｒ２に、上記総面積が互いに異なる２５５種類の画素ＰＸの中から選択的に配置してもよい。又は、他の例として、第２ラウンド領域Ｒ２に、上記総面積が互いに異なる５種類の画素ＰＸの中から選択的に配置してもよい。その際、第２領域Ａ２側に位置する割合の大きい画素ＰＸほど、上記総面積が小さくなるように遮光層ＢＭの形状を調整すればよい。
【００８２】
また、第２ラウンド領域Ｒ２に配置する画素ＰＸの種類が５種類などと少ない場合、遮光層ＢＭは、開口領域ＡＰの第１方向Ｘの幅、及び開口領域ＡＰの第２方向Ｙの幅の両方を調整してもよい。但し、上記実施形態と異なり、開口領域ＡＰの第１方向Ｘの幅のみを調整してもよく、又は開口領域ＡＰの第２方向Ｙの幅のみを調整してもよい。言い換えると、第２幅Ｗ２が第１幅Ｗ１より大きくなるように第２遮光部ＳＨ２を形成し、第４幅Ｗ４が第３幅Ｗ３と同一となるように第３遮光部ＳＨ３を形成してもよい。又は、第２幅Ｗ２が第１幅Ｗ１と同一となるように第２遮光部ＳＨ２を形成し、第４幅Ｗ４が第３幅Ｗ３より大きくなるように第３遮光部ＳＨ３を形成してもよい。
【００８３】
図１３は、表示パネルＰＮＬにおける画素ＰＸの配列を示す平面図である。  
図１３に示すように、本実施形態において、複数の画素ＰＸは、２種類の主画素ＭＰＸ１，ＭＰＸ２に分類される。第２方向Ｙに隣合う２個の主画素ＭＰＸ１，ＭＰＸ２は、単位画素ＵＰＸを構成している。主画素ＭＰＸ１，ＭＰＸ２は、それぞれカラー画像を表示するための最小単位に相当する。主画素ＭＰＸ１は、副画素ＳＰ１ａ、副画素ＳＰ２ａ、及び副画素ＳＰ３ａを含んでいる。主画素ＭＰＸ２は、副画素ＳＰ１ｂ、副画素ＳＰ２ｂ、及び副画素ＳＰ３ｂを含んでいる。また、上記の副画素ＳＰの形状は、図示したような略平行四辺形である。
【００８４】
主画素ＭＰＸ１及び主画素ＭＰＸ２は、それぞれ第１方向Ｘに並んだ複数色の副画素ＳＰを含んでいる。副画素ＳＰ１ａ及び副画素ＳＰ１ｂは、第１色の副画素であり、第１色層ＣＦ１を備えている。副画素ＳＰ２ａ及び副画素ＳＰ２ｂは、第１色とは異なる第２色の副画素であり、第２色層ＣＦ２を備えている。副画素ＳＰ３ａ及び副画素ＳＰ３ｂは、第１色及び第２色とは異なる第３色の副画素であり、第３色層ＣＦ３を備えている。
【００８５】
カラーフィルタＣＦは、複数の開口領域ＡＰに位置している。そして、各々の開口領域ＡＰには、第１色層ＣＦ１、第２色層ＣＦ２、又は第３色層ＣＦ３が位置している。詳しくは、第１色層ＣＦ１は、副画素ＳＰ１ａ及び副画素ＳＰ１ｂの各々の開口領域ＡＰに位置している。第２色層ＣＦ２は、副画素ＳＰ２ａ及び副画素ＳＰ２ｂの各々の開口領域ＡＰに位置している。第３色層ＣＦ３は、副画素ＳＰ３ａ及び副画素ＳＰ３ｂの各々の開口領域ＡＰに位置している。
【００８６】
主画素ＭＰＸ１は、第１方向Ｘに繰り返し配置されている。同様に、主画素ＭＰＸ２は、第１方向Ｘに繰り返し配置されている。第１方向Ｘに並ぶ主画素ＭＰＸ１の行と、第１方向Ｘに並ぶ主画素ＭＰＸ２の行は、第２方向Ｙに交互に繰り返し配置されている。  
第１色層ＣＦ１、第２色層ＣＦ２、及び第３色層ＣＦ３は、それぞれ上記の副画素ＳＰのレイアウトに従って配置され、また、それぞれの副画素ＳＰのサイズに応じた面積を有している。本実施形態において、第１色層ＣＦ１、第２色層ＣＦ２、及び第３色層ＣＦ３は、それぞれストライプ状に形成され、屈曲しつつ第２方向Ｙに延在し、第１方向Ｘに交互に並べられている。
【００８７】
副画素ＳＰの形状が図示したような略平行四辺形の場合、ダイレクタの回転方向が互いに異なる複数のドメインを単位画素ＵＰＸに設定することができる。すなわち、主画素ＭＰＸ１及び主画素ＭＰＸ２の２個の主画素を組み合わせることにより、各色の副画素に関しても多くのドメインを形成することが可能となり、視野角特性に関して補償することができる。このため、視野角特性に注目すると、主画素ＭＰＸ１及び主画素ＭＰＸ２の組み合わせた１個の単位画素ＵＰＸが、カラー画像を表示するための最小単位に相当する。
【００８８】
図１４は、表示パネルＰＮＬの１個の単位画素ＵＰＸを示す平面図であり、走査線Ｇ、信号線Ｓ、画素電極ＰＥ、及び遮光層ＢＭを示す図である。なお、図１４では、説明に必要な構成のみを図示しており、カラーフィルタＣＦ、共通電極ＣＥなどの図示を省略している。また、図１４に示す画素ＰＸは、第１画素ＰＸ１である。なお、図示した例では、第１画素ＰＸ１などの複数の画素ＰＸは、上記ＦＦＳモードに対応した構成を有している。走査線Ｇ、及び信号線Ｓは、上記の第１基板ＳＵＢ１に配置される一方で、遮光層ＢＭは、上記の第２基板ＳＵＢ２に配置される。なお、遮光層ＢＭは、図中に二点鎖線で示されている。
【００８９】
図１４に示すように、遮光層ＢＭは、少なくともバックライトユニットＢＬから照射される光を遮蔽する機能を有している。遮光層ＢＭは、黒色の樹脂などの光吸収率の高い材料で形成されている。但し、本実施形態と異なり、遮光層ＢＭは、金属などの光反射率の高い材料で形成されていてもよい。
【００９０】
各々の走査線Ｇは、第１方向Ｘに延在している。詳しくは、各々の走査線Ｇは、対応する第２遮光部ＳＨ２と対向し、対応する第２遮光部ＳＨ２に沿って延在している。各々の第２遮光部ＳＨ２は、走査線Ｇ、画素電極ＰＥの端部（コンタクト部ＰＡ又は他端部ＰＣ）、上述したスイッチング素子ＳＷなどと対向している。各々の信号線Ｓは、屈曲しつつ第２方向Ｙに延在している。詳しくは、各々の信号線Ｓは、対応する第３遮光部ＳＨ３と対向し、対応する第３遮光部ＳＨ３に沿って延在している。
【００９１】
主画素ＭＰＸ１の開口領域ＡＰ、主電極部ＰＢ、及びスリットＰＳＬは、第３方向ｄ３に延在している。一方、主画素ＭＰＸ２の開口領域ＡＰ、主電極部ＰＢ、及びスリットＰＳＬは、第４方向ｄ４に延在している。隣合う２本の走査線Ｇの間において、主電極部ＰＢは信号線Ｓに沿った形状を有し、信号線Ｓと画素電極ＰＥ（主電極部ＰＢ）とは並行して延在している。液晶層ＬＣへの電圧印加時において、主画素ＭＰＸ１の開口領域ＡＰにおける液晶分子ＬＭの回転状態（配向状態）と、主画素ＭＰＸ２の開口領域ＡＰにおける液晶分子ＬＭの回転状態（配向状態）とは、互いに異なっている。
【００９２】
第１画素ＰＸ１の各々の副画素ＳＰ１，ＳＰ２，ＳＰ３において、開口領域ＡＰは対応する副画素の中央部に位置している。各々の第１画素ＰＸ１の副画素ＳＰ１，ＳＰ２，ＳＰ３の複数の開口領域ＡＰにおいて、第２方向Ｙの長さＬＥａは互いに同一であり、第１方向Ｘの幅ＷＩａは互いに同一である。そして、全ての第１画素ＰＸ１にわたって、上記長さＬＥａは同一であり、上記幅ＷＩａは同一である。
【００９３】
また、上述したように、本実施形態において、画素電極ＰＥと共通電極ＣＥとのうち、液晶層ＬＣに近い側の電極は画素電極ＰＥである。ここでは、画素電極ＰＥが上部電極であり、共通電極ＣＥが下部電極である。
【００９４】
さらに、本実施形態において、第１画素ＰＸ１の何れの副画素ＳＰ１，ＳＰ２，ＳＰ３においても、画素電極ＰＥのうち主電極部ＰＢが、第１開口ＡＰ１に位置している。  
なお、第１基板ＳＵＢ１の全域にわたって、走査線Ｇを並べるピッチ、信号線Ｓを並べるピッチ、画素電極ＰＥを並べるピッチ、並びに画素電極ＰＥの形状及びサイズは、それぞれ同一である。
【００９５】
また、図１４に示した一単位画素ＵＰＸの例では、主画素ＭＰＸ１は、図中、上側に位置し、主画素ＭＰＸ２は、図中、下側に位置している。但し、本実施形態と異なり、一単位画素ＵＰＸにおいて、主画素ＭＰＸ１は、図中、下側に位置し、主画素ＭＰＸ２は、図中、上側に位置していてもよい。
【００９６】
上述したように図１４を参照しながら、それぞれ第１画素ＰＸ１である主画素ＭＰＸ１及び主画素ＭＰＸ２を例に説明したが、次に、図１５を参照しながら、第３画素ＰＸ３について説明する。図１５は、上記表示パネルＰＮＬの第３画素ＰＸ３を示す平面図であり、走査線Ｇ、信号線Ｓ、画素電極ＰＥ、及び遮光層ＢＭを示す図である。ここでは、説明に必要な主要部のみを図示し、第３画素ＰＸ３が主画素ＭＰＸ２である場合を示している。また、第３画素ＰＸ３と第１画素ＰＸ１との関係性、及び第３画素ＰＸ３と第１画素ＰＸ１との相違点、を中心に説明する。
【００９７】
図１５に示すように、第３画素ＰＸ３の副画素ＳＰ１，ＳＰ２，ＳＰ３の複数の開口領域ＡＰにおいて、第２方向Ｙの長さＬＥｂは互いに同一であり、第１方向Ｘの幅ＷＩｂは互いに同一である。長さＬＥｂは、第１画素ＰＸ１の長さＬＥａより短い。幅ＷＩｂは、第１画素ＰＸ１の幅ＷＩａより狭い。
【００９８】
次に、図１６を参照しながら、第４画素ＰＸ４について説明する。図１６は、上記表示パネルＰＮＬの第４画素ＰＸ４を示す平面図であり、走査線Ｇ、信号線Ｓ、画素電極ＰＥ、及び遮光層ＢＭを示す図である。ここでは、説明に必要な主要部のみを図示し、第４画素ＰＸ４が主画素ＭＰＸ２である場合を示している。また、第４画素ＰＸ４と第３画素ＰＸ３との関係性、及び第４画素ＰＸ４と第３画素ＰＸ３との相違点、を中心に説明する。
【００９９】
図１６に示すように、第４画素ＰＸ４の副画素ＳＰ１，ＳＰ２，ＳＰ３の複数の開口領域ＡＰにおいて、第２方向Ｙの長さＬＥｃは互いに同一であり、第１方向Ｘの幅ＷＩｃは互いに同一である。長さＬＥｃは、第３画素ＰＸ３の長さＬＥｂより短い。幅ＷＩｃは、第３画素ＰＸ３の幅ＷＩｂより狭い。
【０１００】
上記のように構成された一実施形態に係る表示装置ＤＳＰによれば、第１領域Ａ１と第２領域Ａ２との境界線Ｂは、枠状を成している。表示装置ＤＳＰは、第１遮光部ＳＨ１を有する遮光層ＢＭを備えている。第１遮光部ＳＨ１のうち第１領域Ａ１側の端部Ｅは、直線状の第１端部Ｅ１と、曲線状の第２端部Ｅ２と、階段状の第３端部Ｅ３と、を有している。第２端部Ｅ２が曲線状ではなく階段状である場合と比較して、表示領域ＤＡのラウンド部Ｒａ，Ｒｂ，Ｒｃ，Ｒｄの輪郭のギザギザを目立たなくすることができる。  
上記のことから、表示品位に優れた表示装置ＤＳＰを得ることができる。
【０１０１】
（一実施形態の変形例１）  
次に、上記一実施形態の変形例１に係る表示装置ＤＳＰについて説明する。図１７は、上記一実施形態の変形例１の表示装置ＤＳＰの表示パネルＰＮＬの表示領域ＤＡのラウンド部Ｒａを含む領域を示す平面図であり、遮光層ＢＭと、複数の開口領域ＡＰと、を示す図である。
【０１０２】
図１７に示すように、遮光層ＢＭは、第４遮光部ＳＨ４をさらに有していてもよい。第４遮光部ＳＨ４は、第２遮光部ＳＨ２と第３遮光部ＳＨ３との交差部に位置し、第２遮光部ＳＨ２及び第３遮光部ＳＨ３と一体に形成されている。Ｘ−Ｙ平面にて、第４遮光部ＳＨ４が加わったことにより、第２遮光部ＳＨ２と第３遮光部ＳＨ３との交差部が拡張されている。
【０１０３】
本実施形態において、第１方向Ｘに並んだ一対の第４遮光部ＳＨ４は、２本の第３遮光部ＳＨ３を挟み、間隔を空けて位置している。また、第４遮光部ＳＨ４は、隣接する４つの画素ＰＸの中央に位置している。第４遮光部ＳＨ４は、真円の形状を有している。しかしながら、第４遮光部ＳＨ４は、楕円形などの真円以外の円形の形状や、四角形などの多角形の形状を有していてもよい。
【０１０４】
第４遮光部ＳＨ４の位置する領域には、スペーサが配置される。なお、上記スペーサは、第１基板ＳＵＢ１と第２基板ＳＵＢ２との間の隙間を保持する機能を有している。例えば、上記スペーサがフォトリソグラフィ法を用いて形成した柱状のスペーサである場合、上記スペーサは、第１基板ＳＵＢ１及び第２基板ＳＵＢ２の一方の基板に設けられている。上記スペーサがメインスペーサである場合、メインスペーサは、第１基板ＳＵＢ１及び第２基板ＳＵＢ２の他方の基板に接している。なお、サブスペーサは上記他方の基板に接していない。  
本変形例１においても、上記一実施形態と同様の効果を得ることができる。
【０１０５】
（一実施形態の変形例２）  
次に、上記一実施形態の変形例２に係る表示装置ＤＳＰについて説明する。図１８は、上記一実施形態の変形例２の表示装置ＤＳＰの画素ＰＸに配置される画素電極ＰＥと共通電極ＣＥとの構成例を示す平面図である。
【０１０６】
図１８に示すように、共通電極ＣＥは、画素電極ＰＥの上方に位置し、画素電極ＰＥより液晶層ＬＣの近くに位置していてもよい。画素電極ＰＥは、平板状に形成され、スリットを有しておらず、隣合う一対の信号線Ｓの間に配置されている。共通電極ＣＥは、信号線Ｓ、及び画素電極ＰＥに重なっている。共通電極ＣＥは、画素電極ＰＥの直上にスリットＣＳＬを有している。
【０１０７】
図示した例では、共通電極ＣＥは、１つの画素電極ＰＥと対向する位置に、信号線Ｓと並行に延在した２本のスリットＣＳＬを有している。２本のスリットＣＳＬは、間隔をおいて第１方向Ｘに並び、それぞれ第１方向Ｘに沿って略同一の幅を有している。なお、画素電極ＰＥの形状は、図示した例に限定されるものではなく、画素ＰＸの形状などに合わせて適宜変更することができる。また、スリットＣＳＬの形状や本数などについても図示した例に限定されるものではない。  
本変形例２においても、上記一実施形態と同様の効果を得ることができる。
【０１０８】
（一実施形態の変形例３）  
次に、上記一実施形態の変形例３に係る表示装置ＤＳＰについて説明する。上述した第１の実施形態では、開口領域ＡＰ及び画素電極ＰＥは略平行四辺形の形状を有し、１個の単位画素ＵＰＸで視野角特性に関して補償する構成であった。しかしながら、本変形例３では、画素ＰＸの形状が上述した一実施形態などと異なっているため、１個の画素ＰＸで視野角特性に関して補償するものである。図１９は、上記一実施形態の変形例３の表示装置ＤＳＰの表示パネルＰＮＬの表示領域ＤＡのラウンド部Ｒａを含む領域を示す平面図であり、遮光層ＢＭと、複数の開口領域ＡＰと、を示す図である。
【０１０９】
図１９に示すように、本変形例３において、第１画素ＰＸ１、第３画素ＰＸ３、及び第４画素ＰＸ４において、開口領域ＡＰは＜の記号の形状を有している。第２画素ＰＸ２において、開口領域ＡＰは＜の記号の一部の形状を有している。各々の第３遮光部ＳＨ３は、第３方向ｄ３及び第４方向ｄ４に沿って延在している。各々の第３遮光部ＳＨ３は、第２方向Ｙに並ぶ画素ＰＸの境界部にて屈曲し、さらに、第２方向Ｙにおける画素ＰＸの中央部にて屈曲している。
【０１１０】
図２０は、図１９に示した第１画素ＰＸ１を示す平面図であり、走査線Ｇ、信号線Ｓ、画素電極ＰＥ、及び遮光層ＢＭを示す図である。  
図２０に示すように、各々の第２遮光層ＳＨ２は、走査線Ｇ、画素電極ＰＥの端部、上述したスイッチング素子ＳＷなどと対向し、走査線Ｇに沿って第１方向Ｘに延在している。各々の第３遮光層ＳＨ３は、信号線Ｓと対向し、信号線Ｓに沿って延在している。
【０１１１】
各々の開口領域ＡＰは、第１開口領域Ｊ１と、第２開口領域Ｊ２と、を有している。各々の開口領域ＡＰにおいて、第１開口領域Ｊ１及び第２開口領域Ｊ２は、第２方向Ｙに連続して設けられている。液晶層ＬＣへの電圧印加時において、第１開口領域Ｊ１における液晶分子ＬＭの回転状態と、第２開口領域Ｊ２における液晶分子ＬＭの回転状態とは、互いに異なっている。ここで、第１開口領域Ｊ１と第２開口領域Ｊ２との境界を通る仮想上の線を、以下、基準線ＲＬと称する。基準線ＲＬは、第２方向Ｙにて画素ＰＸの中央部を通っている。
【０１１２】
何れの副画素ＳＰ１，ＳＰ２，ＳＰ３においても、第１開口領域Ｊ１は第３方向ｄ３に延在し、第２開口領域Ｊ２は第４方向ｄ４に延在している。第１画素ＰＸ１などの各々の画素ＰＸにおいて、副画素ＳＰ１，ＳＰ２，ＳＰ３の複数の第１開口領域Ｊ１の第２方向Ｙの第１長さＬＥ１ａは互いに同一であり、副画素ＳＰ１，ＳＰ２，ＳＰ３の複数の第２開口領域Ｊ２の第２方向Ｙの第２長さＬＥ１ｂは互いに同一である。また、本変形例３において、第１画素ＰＸ１などの各々の画素ＰＸにおいて、上記第１長さＬＥ１ａと上記第２長さＬＥ１ｂとは互いに同一である。但し、本変形例３と異なり、上記第１長さＬＥ１ａと上記第２長さＬＥ１ｂとは互いに異なっていてもよい。
【０１１３】
さらに、本変形例３において、第１画素ＰＸ１の何れの副画素ＳＰ１，ＳＰ２，ＳＰ３においても、画素電極ＰＥのうち主電極部ＰＢが、開口領域ＡＰに位置している。主電極部ＰＢは、第１開口領域Ｊ１にて第３方向ｄ３に延在し、基準線ＲＬ上にて屈曲し、第２開口領域Ｊ２にて第４方向ｄ４に延在している。
【０１１４】
副画素ＳＰ１が左側に位置し、副画素ＳＰ３が右側に位置する平面視において、各主電極部ＰＢは、＜の記号の形状を有している。なお、本変形例３と異なり、各主電極部ＰＢは、＞の記号の形状を有していてもよい。  
開口領域ＡＰ（第１開口領域Ｊ１及び第２開口領域Ｊ２）の形状と、主電極部ＰＢの形状と、からも分かるように、第１開口領域Ｊ１におけるダイレクタの回転方向と、第２開口領域Ｊ２におけるダイレクタの回転方向とは、互いに異なっている。各々の開口領域ＡＰは、ダイレクタの回転方向が互いに異なる４種類のドメインを有している。そのため、表示パネルＰＮＬは良好な視野角特性を得ることができる。なお、画素電極ＰＥの形状及びサイズは、全ての種類の画素ＰＸで同一である。  
本変形例３においても、上記一実施形態と同様の効果を得ることができる。
【０１１５】
（一実施形態の変形例４）  
次に、上記一実施形態の変形例４に係る表示装置ＤＳＰについて説明する。図２１は、上記一実施形態の変形例４の表示装置ＤＳＰの外観を示す平面図であり、表示領域ＤＡなどを示す図である。
【０１１６】
図２１に示すように、本変形例４の表示領域ＤＡの形状は、上記一実施形態の表示領域ＤＡの形状と異なっていてもよい。表示領域ＤＡは、第１方向Ｘに延在した一対の長辺ＬＩ１，ＬＩ２と、第２方向Ｙに延在した一対の短辺ＬＩ３，ＬＩ４と、４つのラウンド部Ｒａ，Ｒｂ，Ｒｃ，Ｒｄと、を有している。長辺ＬＩ１，ＬＩ２、及び短辺ＬＩ３，ＬＩ４は、隣り合うラウンド部に直に繋がっている。長辺ＬＩ２、及び短辺ＬＩ３，ＬＩ４は、それぞれ直線部に相当している。
【０１１７】
長辺ＬＩ１は第１方向Ｘに直線状に延在しておらず、一部が長辺ＬＩ２側に入り組んでいる。長辺ＬＩ１は、第１方向Ｘに延在した直線部ＬＬ１，ＬＬ２，ＬＬ３と、２つのラウンド部Ｒｅ，Ｒｆと、を有している。直線部ＬＬ１，ＬＬ２，ＬＬ３は、隣り合うラウンド部に直に繋がっている。上記のことから、表示領域ＤＡにノッチが形成されている。
【０１１８】
各々のラウンド部Ｒａ，Ｒｂ，Ｒｃ，Ｒｄにて、第１ラウンド領域Ｒ１及び第２ラウンド領域Ｒ２の両方が設けられている。同じく、ラウンド部Ｒｅ，Ｒｆにおいても、第１ラウンド領域Ｒ１及び第２ラウンド領域Ｒ２の両方が設けられている。各々のラウンド部Ｒａ，Ｒｂ，Ｒｃ，Ｒｄ，Ｒｅ，Ｒｆにて、第２ラウンド領域Ｒ２のみ設けられ、第１ラウンド領域Ｒ１が設けられていない場合と比較して、各々のラウンド部の輪郭を光学的にぼかすことができ、各々のラウンド部の輪郭のギザギザを目立たなくすることができる。  
本変形例４においても、上記一実施形態と同様の効果を得ることができる。
【０１１９】
（一実施形態の変形例５）  
次に、上記一実施形態の変形例５に係る表示装置ＤＳＰについて説明する。図２２は、上記一実施形態の変形例５の表示装置ＤＳＰの外観を示す平面図であり、表示領域ＤＡなどを示す図である。  
図２２に示すように、本変形例５の表示領域ＤＡは四角形の形状を有している。表示領域ＤＡの輪郭は、４つのラウンド部ではなく、４つの角部を有している。非表示領域ＮＤＡは、第１非表示領域ＮＤＡ１及び第２非表示領域ＮＤＡ２を有している。第１非表示領域ＮＤＡ１は、表示領域ＤＡの内側に位置し、表示領域ＤＡで囲まれている。第２非表示領域ＮＤＡ２は、表示領域ＤＡの外側に位置している。
【０１２０】
本変形例５において、第１非表示領域ＮＤＡ１は、長円の形状を有している。本変形例５の長円は、長さが等しく第１方向Ｘに平行な２つの辺と、半径の等しい２つの半円形と、を有している。第２領域Ａ２は、概ね第１非表示領域ＮＤＡ１に位置し、枠状の形状を有し、長円の内周縁及び長円の外周縁を持っている。  
遮光層ＢＭは、第２非表示領域ＮＤＡ２に位置した枠状の第５遮光部ＳＨ５をさらに有している。第１遮光部ＳＨ１は、第２領域Ａ２に位置し、第１非表示領域ＮＤＡ１のうち第２領域Ａ２で囲まれた領域に位置していない。  
表示領域ＤＡのうち、第１非表示領域ＮＤＡ１に隣接する内周縁は、第１方向Ｘに沿って延在した一対の辺ＳＩ１，ＳＩ２と、２つのラウンド部Ｒｇ，Ｒｈと、を有している。
【０１２１】
図２３は、図２２に示した表示装置ＤＳＰの一部を示す平面図である。  
図２３に示すように、境界線Ｂは、直線状の第１境界線Ｂ１と、第１境界線に繋がる曲線状の第２境界線Ｂ２と、を有し、枠状を成している。本変形例５において、境界線Ｂは、長円に沿って延在している。境界線Ｂは、第１領域Ａ１の上側に位置し第１方向Ｘに平行な第１境界線Ｂ１Ｕと、第１領域Ａ１の下側に位置し第１方向Ｘに平行な第１境界線Ｂ１Ｂと、第１領域Ａ１の左側に位置し半円に沿って延在し第１境界線Ｂ１Ｕ及び第１境界線Ｂ１Ｂに繋がる第２境界線Ｂ２ｂと、第１領域Ａ１の右側に位置し半円に沿って延在し第１境界線Ｂ１Ｕ及び第１境界線Ｂ１Ｂに繋がる第２境界線Ｂ２ｃと、を有している。
第２境界線Ｂ２ｂは上記ラウンド部Ｒｇと対応し、第２境界線Ｂ２ｃは上記ラウンド部Ｒｈと対応している。
【０１２２】
第２境界線Ｂ２ｂが通る領域には、第１ラウンド領域Ｒ１及び第２ラウンド領域Ｒ２の両方が設けられている。同じく、第２境界線Ｂ２ｃが通る領域には、第１ラウンド領域Ｒ１及び第２ラウンド領域Ｒ２の両方が設けられている。各々のラウンド部Ｒｇ，Ｒｈにて、第２ラウンド領域Ｒ２のみ設けられ、第１ラウンド領域Ｒ１が設けられていない場合と比較して、各々のラウンド部の輪郭を光学的にぼかすことができ、各々のラウンド部の輪郭のギザギザを目立たなくすることができる。  
本変形例５においても、上記一実施形態と同様の効果を得ることができる。
【０１２３】
本発明の実施形態を説明したが、上記の実施形態は、例として提示したものであり、発明の範囲を限定することは意図していない。上記の新規な実施形態は、その他の様々な形態で実施されることが可能であり、発明の要旨を逸脱しない範囲で、種々の省略、置き換え、変更を行うことができる。上記の実施形態やその変形例は、発明の範囲や要旨に含まれるとともに、特許請求の範囲に記載された発明とその均等の範囲に含まれる。必要に応じて、上記実施形態及び上記複数の変形例を組合せることも可能である。
【符号の説明】
【０１２４】
ＤＳＰ…表示装置、ＰＮＬ…表示パネル、ＳＵＢ１…第１基板、ＳＵＢ２…第２基板、
ＬＣ…液晶層、ＬＭ…液晶分子、ＤＡ…表示領域、ＤＡ１…第１表示領域、
ＤＡ２…第２表示領域、ＮＤＡ…非表示領域、Ａ１…第１領域、Ａ２…第２領域、
Ｒａ，Ｒｂ，Ｒｃ，Ｒｄ，Ｒｅ，Ｒｆ，Ｒｇ，Ｒｈ…ラウンド部、Ｂ…境界線、
Ｂ１…第１境界線、Ｂ２…第２境界線、ＰＸ…画素、ＳＰ…副画素、Ｇ…走査線、
Ｓ…信号線、ＣＥ…共通電極、ＰＥ…画素電極、ＢＭ…遮光層、ＡＰ…開口領域、
ＳＨ１，ＳＨ２，ＳＨ３，ＳＨ４，ＳＨ５…遮光部、Ｅ，Ｅ１，Ｅ２，Ｅ３…端部、
ＬＰ…線状部、ＣＦ…カラーフィルタ、ＣＦ１，ＣＦ２，ＣＦ３…色層、ＴＡ…接線、
ＥＳ…延長線、θ…角度、Ｒ１…第１ラウンド領域、Ｒ２…第２ラウンド領域、
Ｒ３…ストレート領域、Ｗ…幅、Ｘ…第１方向、Ｙ…第２方向、ｄ３…第３方向、
ｄ４…第４方向。
【図１】
2020030352.tif 000003
【図２】
2020030352.tif 000004
【図３】
2020030352.tif 000005
【図４】
2020030352.tif 000006
【図５】
2020030352.tif 000007
【図６】
2020030352.tif 000008
【図７】
2020030352.tif 000009
【図８】
2020030352.tif 000010
【図９】
2020030352.tif 000011
【図１０】
2020030352.tif 000012
【図１１】
2020030352.tif 000013
【図１２】
2020030352.tif 000014
【図１３】
2020030352.tif 000015
【図１４】
2020030352.tif 000016
【図１５】
2020030352.tif 000017
【図１６】
2020030352.tif 000018
【図１７】
2020030352.tif 000019
【図１８】
2020030352.tif 000020
【図１９】
2020030352.tif 000021
【図２０】
2020030352.tif 000022
【図２１】
2020030352.tif 000023
【図２２】
2020030352.tif 000024
【図２３】
2020030352.tif 000025